(57)【特許請求の範囲】
【請求項１】
第１のＭＡＰ情報要素（ＩＥ）を有し、開始ＯＦＤＭＡフレームのフレーム番号を備えることによって特徴づけられる、第１の直交周波数分割多元接続（ＯＦＤＭＡ）フレームに基づく第１の信号を受信すること（１６０２）であって、前記開始ＯＦＤＭＡフレームが、前記第１のＯＦＤＭＡフレームか後続のＯＦＤＭＡフレームのいずれかを備え、前記開始ＯＦＤＭＡフレームが後続のＯＦＤＭＡフレームを備える場合、前記開始ＯＦＤＭＡフレームを備える信号を受信する、受信することと、
前記第１のＭＡＰ  ＩＥに従って前記開始ＯＦＤＭＡフレーム中のデータ領域の位置を特定することと、
第２のＯＦＤＭＡフレームに基づく第２の信号を受信すること（１６０６）であって、前記第２の信号が前記開始ＯＦＤＭＡフレームを備える前記信号よりも後で受信され、前記第２の信号が第２のＭＡＰ  ＩＥを含まない、受信することと、
第２のＭＡＰ  ＩＥを使用せずに、前記第１のＭＡＰ  ＩＥに従って前記第２のＯＦＤＭＡフレーム中の前記データ領域の位置を特定すること（１６０８）と
を備える方法。
【請求項２】
前記データ領域がダウンリンク（ＤＬ）データ領域であり、前記第１のＭＡＰ  ＩＥがＤＬ−ＭＡＰ  ＩＥである、請求項１に記載の方法。
【請求項３】
前記データ領域がアップリンク（ＵＬ）データ領域であり、前記第１のＭＡＰ  ＩＥがＵＬ−ＭＡＰ  ＩＥである、請求項１に記載の方法。
【請求項４】
前記第２のＯＦＤＭＡフレームのためのアップリンクマップ（ＵＬ−ＭＡＰ）は、前記データ領域の位置が正しく特定されるように前記ＵＬ−ＭＡＰ中のすべてのＭＡＰ  ＩＥの前に現れる開始スロットオフセットを有する、請求項１に記載の方法。
【請求項５】
前記第１のＭＡＰ  ＩＥが、前記開始ＯＦＤＭＡフレームおよび前記第２のＯＦＤＭＡフレーム内の前記データ領域の固定位置を判断するための領域情報を有するメッセージを含んでいる、請求項１に記載の方法。
【請求項６】
前記領域情報が、シンボルオフセット、サブチャネルオフセット、シンボルの数、サブチャネルの数、ブースティングレベル、置換タイプ、および反復符号化タイプのうちの少なくとも一つ、またはスロットオフセット、スロット持続期間、および反復符号化タイプのうちの少なくとも１つを備える、請求項５に記載の方法。
【請求項７】
前記メッセージが前記開始フレーム番号と割振り間隔とを備える、請求項５に記載の方法。
【請求項８】
前記第２のフレームがいくつかのＯＦＤＭＡフレームとして前記割振り間隔に従って前記開始フレームの後に受信されるように、前記開始ＯＦＤＭＡフレーム中の前記データ領域の位置を特定することが、前記領域情報を使用することを備え、前記第２のＯＦＤＭＡフレーム中の前記データ領域の位置を特定することが、前記第１のＭＡＰ  ＩＥの前記メッセージ中の前記割振り間隔と前記領域情報とを使用することを備える、請求項７に記載の方法。
【請求項９】
前記メッセージが、割振り識別子、終了フレーム番号、ダウンリンク間隔使用符号（ＤＩＵＣ）またはアップリンク間隔使用符号（ＵＩＵＣ）、および確認応答（ＡＣＫ）領域情報のうちの少なくとも１つを備える、請求項５に記載の方法。
【請求項１０】
ワイヤレス通信のための装置であって、
第１のＭＡＰ情報要素（ＩＥ）を有し、開始ＯＦＤＭＡフレームのフレーム番号を備えることによって特徴づけられる、第１の直交周波数分割多元接続（ＯＦＤＭＡ）フレームに基づく第１の信号を受信するための手段（１６０２Ａ）であって、前記開始ＯＦＤＭＡフレームが、前記第１のＯＦＤＭＡフレームか後続のＯＦＤＭＡフレームのいずれかを備える、受信するための手段と、
前記開始ＯＦＤＭＡフレームが後続のＯＦＤＭＡフレームを備える場合、前記開始ＯＦＤＭＡフレームを備える信号を受信するための手段と、
前記第１のＭＡＰ  ＩＥに従って前記開始ＯＦＤＭＡフレーム中のデータ領域の位置を特定するための手段と、
第２のＯＦＤＭＡフレームに基づく第２の信号を受信するための手段（１６０６Ａ）であって、前記第２の信号が前記開始ＯＦＤＭＡフレームを備える前記信号よりも後で受信され、前記第２の信号が第２のＭＡＰ  ＩＥを含まない、受信するための手段と、
第２のＭＡＰ  ＩＥを使用せずに、前記第１のＭＡＰ  ＩＥに従って前記第２のＯＦＤＭＡフレーム中の前記データ領域の位置を特定するための手段（１６０８Ａ）と
を備える装置。
【請求項１１】
開始直交周波数分割多元接続（ＯＦＤＭＡ）フレーム中のデータ領域の位置を特定するための第１のＭＡＰ情報要素（ＩＥ）を有することと、
第２のＯＦＤＭＡフレーム中の前記データ領域の位置を特定するためのＭＡＰ  ＩＥなしの、前記第２のＯＦＤＭＡフレームに基づく第２の信号を送信することであって、前記第２の信号が前記第１の信号および前記開始ＯＦＤＭＡフレームに基づく信号よりも後で送信され、前記第２の信号が第２のＭＡＰ  ＩＥを含まず、前記第１のＭＡＰ  ＩＥに従って前記第２のＯＦＤＭＡフレーム中の前記データ領域の位置が特定され、前記ＭＡＰ  ＩＥが前記開始ＯＦＤＭＡフレームの開始フレーム番号を備える、送信すること（１５０４）と、
によって特徴づけられる、第１のＯＦＤＭＡフレームに基づく第１の信号を送信すること（１５０２）
を備える方法。
【請求項１２】
ワイヤレス通信のための装置であって、
開始直交周波数分割多元接続（ＯＦＤＭＡ）フレーム中のデータ領域の位置を特定するための第１のＭＡＰ情報要素（ＩＥ）を有することと、
第２のＯＦＤＭＡフレーム中の前記データ領域の位置を特定するためのＭＡＰ  ＩＥなしの、前記第２のＯＦＤＭＡフレームに基づく第２の信号を送信するための手段であって、前記第２の信号が前記第１の信号および前記開始ＯＦＤＭＡフレームに基づく信号よりも後で送信され、前記第２の信号が第２のＭＡＰ  ＩＥを含まず、前記第１のＭＡＰ  ＩＥに従って前記第２のＯＦＤＭＡフレーム中の前記データ領域の位置が特定され、前記ＭＡＰ  ＩＥが前記開始ＯＦＤＭＡフレームの開始フレーム番号を備える、送信するための手段（１５０４Ａ）と、
によって特徴づけられる、第１のＯＦＤＭＡフレームに基づく第１の信号を送信するための手段（１５０２Ａ）
を備える装置。
【請求項１３】
プロセッサによって実行されるとき、請求項１−９または１１のいずれか１項に記載の方法を実行するプログラムを含むコンピュータ可読媒体。
【発明の詳細な説明】
【技術分野】
【０００１】
本開示のいくつかの実施形態は、一般にワイヤレス通信に関し、より詳細には、直交周波数分割多元接続（ＯＦＤＭＡ）フレーム中のＭＡＰ情報要素（ＭＡＰ  ＩＥ）の制御オーバーヘッドに関する。
【背景技術】
【０００２】
ＩＥＥＥ８０２．１６に基づく直交周波数分割多重（ＯＦＤＭ）およびＯＦＤＭＡワイヤレス通信システムは、複数のサブキャリアの周波数の直交性に基づいて、システムにおいてサービスに登録したワイヤレスデバイス（すなわち、移動局）と通信するために基地局のネットワークを使用しており、マルチパスフェージングおよび干渉に対する抵抗など、広帯域ワイヤレス通信のためのいくつかの技術的利点を達成するために実装できる。各基地局は、移動局との間でデータを搬送する無線周波数（ＲＦ）信号を送り、受信する。基地局からのそのようなＲＦ信号は、データ負荷（ボイスおよび他のデータ）に加えて、様々な通信管理機能のためのオーバーヘッド負荷を含む。各移動局は、データを処理するより前に各受信信号のオーバーヘッド負荷中の情報を処理する。
【０００３】
ＯＦＤＭＡシステムのためのＩＥＥＥ８０２．１６ｘ規格の現行バージョンの下では、基地局からのあらゆるダウンリンクサブフレームは、プリアンブルと、プリアンブルに続くフレーム制御ヘッダ（ＦＣＨ）と、ＦＣＨに続くダウンリンクマップ（ＤＬ−ＭＡＰ）とをオーバーヘッド負荷の一部として含む。プリアンブルは、セルおよびセル内のセルセクタを探索するための情報と、移動局を時間と周波数の両方で受信ダウンリンク信号と同期させるための情報とを含む。ダウンリンクサブフレームのＦＣＨ部分は、ダウンリンク送信フォーマット（たとえば、ＤＬ−ＭＡＰ）に関する情報と、ダウンリンクデータ受信のための制御情報（たとえば、現在のダウンリンクフレーム中のサブキャリアの割振り）とをもつ２４ビットを含む。ＤＬ−ＭＡＰは、ＯＦＤＭ／ＯＦＤＭＡフレーム中のＤＬデータバーストが正しく復号されるように、ダウンリンクデータ領域割振りとバーストプロファイル情報とを指定する。第１のＤＬデータバーストは、一般に、同じく制御オーバーヘッドの一部と見なすことができる、フレームごとのアップリンク送信のための同様の割振りとバーストプロファイル情報とを含んでいるアップリンクマップ（ＵＬ−ＭＡＰ）である。
【０００４】
制御オーバーヘッドは、ＯＦＤＭＡフレーム中の時間リソースと周波数リソースの両方を消費し、制御メッセージは、基地局によってサポートされる同時ユーザ（たとえば、移動局）の数とともに増大する。これらの時間リソースおよび周波数リソースはフレームごとに制限されるので、制御オーバーヘッドによるこれらのリソースの消費が大きくなることは、データトラフィックのためのリソースがより少なくなることを意味する。その上、たいていの制御メッセージは、これらのメッセージができるだけ多くの移動局によって受信されるように最も低い符号化レートで符号化されるので、制御メッセージのサイズが少し増加すると、フレームリソースの消費がかなり大きく増加することになる。したがって、同時ユーザの数が増加するにつれて、移動局の最大データスループットが指数関数的に減少することになる。
【発明の概要】
【０００５】
本開示のいくつかの実施形態は、一般に、制御オーバーヘッドが低減されるように、あらゆる直交周波数分割多元接続（ＯＦＤＭＡ）フレーム中のＭＡＰ情報要素（ＭＡＰ  ＩＥ）なしに、ＯＦＤＭＡフレーム内のバーストの位置を特定することに関する。
【０００６】
本開示のいくつかの実施形態は、方法を提供する。本方法は、一般に、第１のＯＦＤＭＡフレームに基づく第１の信号を受信することと、第１のＭＡＰ  ＩＥに従って第１のＯＦＤＭＡフレーム中のデータ領域の位置を特定することと、第２のＯＦＤＭＡフレームに基づく第２の信号を受信することであって、第２の信号が第１の信号よりも後で受信される、受信することと、第２のＭＡＰ  ＩＥを使用せずに第２のＯＦＤＭＡフレーム中のデータ領域の位置を特定することとを含む。
【０００７】
本開示のいくつかの実施形態は、ワイヤレス通信のための受信機を提供する。本受信機は、一般に、第１のＭＡＰ  ＩＥに従って、受信機によって受信された第１の信号の第１のＯＦＤＭＡフレーム中のデータ領域の位置を特定するように構成され、第２のＭＡＰ  ＩＥを使用せずに、受信機によって受信された第２の信号の第２のＯＦＤＭＡフレーム中のデータ領域の位置を特定するように構成された論理であって、第２の信号が第１の信号よりも後で受信される、論理を含む。
【０００８】
本開示のいくつかの実施形態は、ワイヤレス通信のための装置を提供する。本装置は、一般に、第１のＯＦＤＭＡフレームに基づく第１の信号を受信するための手段と、第１のＭＡＰ  ＩＥに従って第１のＯＦＤＭＡフレーム中のデータ領域の位置を特定するための手段と、第２のＯＦＤＭＡフレームに基づく第２の信号を受信するための手段であって、第２の信号が第１の信号よりも後で受信される、受信するための手段と、第２のＭＡＰ  ＩＥを使用せずに第２のＯＦＤＭＡフレーム中のデータ領域の位置を特定するための手段とを含む。
【０００９】
本開示のいくつかの実施形態は、モバイルデバイスを提供する。本モバイルデバイスは、一般に、第１のＯＦＤＭＡフレームに基づく第１の信号を受信し、第２のＯＦＤＭＡフレームに基づく第２の信号を受信するための受信機フロントエンドであって、第２の信号が第１の信号よりも後で受信される、受信機フロントエンドと、第１のＭＡＰ  ＩＥに従って第１のＯＦＤＭＡフレーム中のデータ領域の位置を特定するように構成され、第２のＭＡＰ  ＩＥを使用せずに第２のＯＦＤＭＡフレーム中のデータ領域の位置を特定するように構成された論理とを含む。
【００１０】
本開示のいくつかの実施形態は、複数のＯＦＤＭＡフレーム中のデータ領域の位置を特定するためのプログラムであって、プロセッサによって実行されるといくつかの動作を実行するプログラムを含んでいるコンピュータ可読媒体を提供する。本動作は、一般に、第１のＯＦＤＭＡフレームに基づく第１の信号を受信することと、第１のＭＡＰ  ＩＥに従って第１のＯＦＤＭＡフレーム中のデータ領域の位置を特定することと、第２のＯＦＤＭＡフレームに基づく第２の信号を受信することであって、第２の信号が第１の信号よりも後で受信される、受信することと、第２のＭＡＰ  ＩＥを使用せずに第２のＯＦＤＭＡフレーム中のデータ領域の位置を特定することとを含む。
【００１１】
本開示のいくつかの実施形態は、方法を提供する。本方法は、一般に、開始ＯＦＤＭＡフレーム中のデータ領域の位置を特定するためのＭＡＰ  ＩＥを有する、第１のＯＦＤＭＡフレームに基づく第１の信号を送信することと、第２のＯＦＤＭＡフレーム中のデータ領域の位置を特定するためのＭＡＰ  ＩＥなしの、第２のＯＦＤＭＡフレームに基づく第２の信号を送信することであって、第２の信号が第１の信号および開始ＯＦＤＭＡフレームに基づく信号よりも後で送信される、送信することとを含む。
【００１２】
本開示のいくつかの実施形態は、ワイヤレス通信のための送信機を提供する。本送信機は、一般に、開始ＯＦＤＭＡフレーム中のデータ領域の位置を特定するためのＭＡＰ  ＩＥを有する、第１のＯＦＤＭＡフレームに基づく第１の信号を送信するように構成され、第２のＯＦＤＭＡフレーム中のデータ領域の位置を特定するためのＭＡＰ  ＩＥなしの、第２のＯＦＤＭＡフレームに基づく第２の信号を送信するように構成された論理であって、第２の信号が第１の信号および開始ＯＦＤＭＡフレームに基づく信号よりも後で送信される、論理を含む。
【００１３】
本開示のいくつかの実施形態は、ワイヤレス通信のための装置を提供する。本装置は、一般に、開始ＯＦＤＭＡフレーム中のデータ領域の位置を特定するためのＭＡＰ  ＩＥを有する、第１のＯＦＤＭＡフレームに基づく第１の信号を送信するための手段と、第２のＯＦＤＭＡフレーム中のデータ領域の位置を特定するためのＭＡＰ  ＩＥなしの、第２のＯＦＤＭＡフレームに基づく第２の信号を送信するための手段であって、第２の信号が第１の信号および開始ＯＦＤＭＡフレームに基づく信号よりも後で送信される、送信するための手段とを含む。
【００１４】
本開示のいくつかの実施形態は、モバイルデバイスを提供する。本モバイルデバイスは、一般に、開始ＯＦＤＭＡフレーム中のデータ領域の位置を特定するためのＭＡＰ  ＩＥを有する、第１のＯＦＤＭＡフレームを生成するように構成され、第２のＯＦＤＭＡフレーム中のデータ領域の位置を特定するためのＭＡＰ  ＩＥなしの、第２のＯＦＤＭＡフレームを作成するように構成された論理と、第１のＯＦＤＭＡフレームに基づく第１の信号と、第２のＯＦＤＭＡフレームに基づく第２の信号と、開始ＯＦＤＭＡフレームに基づく信号とを送信するための送信機フロントエンドであって、第２の信号が第１の信号および開始ＯＦＤＭＡフレームに基づく信号よりも後で送信される、送信機フロントエンドとを含む。
【００１５】
本開示のいくつかの実施形態は、複数のＯＦＤＭＡフレームを送信するためのプログラムであって、プロセッサによって実行されるといくつかの動作を実行するプログラムを含むコンピュータ可読媒体を提供する。本動作は、一般に、開始ＯＦＤＭＡフレーム中のデータ領域の位置を特定するためのＭＡＰ  ＩＥを有する、第１のＯＦＤＭＡフレームに基づく第１の信号を送信することと、第２のＯＦＤＭＡフレーム中のデータ領域の位置を特定するためのＭＡＰ  ＩＥなしの、第２のＯＦＤＭＡフレームに基づく第２の信号を送信することであって、第２の信号が第１の信号および開始ＯＦＤＭＡフレームに基づく信号よりも後で送信される、送信することとを含む。
【００１６】
本開示の上述の特徴を詳細に理解することができるように、その一部を添付の図面に示す実施形態を参照することによって、上記で簡単に要約したより具体的な説明を得ることができる。ただし、添付の図面は、本開示のいくつかの典型的な実施形態のみを示し、したがって、説明は他の等しく有効な実施形態に通じるので、その範囲を限定するものと見なされるべきではないことに留意されたい。
【図面の簡単な説明】
【００１７】
【図１】本開示のいくつかの実施形態による、例示的なワイヤレス通信システムを示す図。
【図２】本開示のいくつかの実施形態による、ワイヤレスデバイスにおいて利用できる様々な構成要素を示す図。
【図３】本開示のいくつかの実施形態による、直交周波数分割多重および直交周波数分割多元接続（ＯＦＤＭ／ＯＦＤＭＡ）技術を利用するワイヤレス通信システム内で使用できる例示的な送信機と例示的な受信機とを示す図。
【図４Ａ】本開示のいくつかの実施形態による、時分割複信（ＴＤＤ）のための例示的なＯＦＤＭ／ＯＦＤＭＡフレームと、そのＯＦＤＭ／ＯＦＤＭＡフレーム中に含まれており、ダウンリンクフレームプレフィックス（ＤＬＦＰ）情報を含むフレーム制御ヘッダ（ＦＣＨ）のフォーマットとを示す図。
【図４Ｂ】本開示のいくつかの実施形態による、時分割複信（ＴＤＤ）のための例示的なＯＦＤＭ／ＯＦＤＭＡフレーム中に含まれており、ダウンリンクフレームプレフィックス（ＤＬＦＰ）情報を含む、フレーム制御ヘッダ（ＦＣＨ）のフォーマットを示す図。
【図５】本開示のいくつかの実施形態による、一般的なダウンリンクマップ（ＤＬ−ＭＡＰ）情報要素（ＩＥ）をもつＤＬ−ＭＡＰメッセージのフォーマットを示す図。
【図６Ａ】本開示のいくつかの実施形態による、様々なタイプのＤＬ−ＭＡＰ  ＩＥを示す図。
【図６Ｂ】本開示のいくつかの実施形態による、様々なタイプのＤＬ−ＭＡＰ  ＩＥを示す図。
【図６Ｃ】本開示のいくつかの実施形態による、様々なタイプのＤＬ−ＭＡＰ  ＩＥを示す図。
【図７Ａ】本開示のいくつかの実施形態による、スティッキー（sticky）領域割振りのための例示的なＤＬ−ＭＡＰ  ＩＥを示す図。
【図７Ｂ】本開示のいくつかの実施形態による、スティッキー領域割振りのための例示的なＤＬ−ＭＡＰ  ＩＥを示す図。
【図７Ｃ】本開示のいくつかの実施形態による、スティッキー領域割振りのための例示的なＤＬ−ＭＡＰ  ＩＥを示す図。
【図８】本開示のいくつかの実施形態による、図７Ａ〜図７ＣのＤＬ−ＭＡＰ  ＩＥを解釈するための例示的な動作のフローチャート。
【図９】本開示のいくつかの実施形態による、移動局（ＭＳ）の観点から、複数のＯＦＤＭＡフレームを受信し、スティッキー領域割振りのためのＤＬ−ＭＡＰ  ＩＥを使用してＤＬバーストを読み取るための例示的な動作のフローチャート。
【図１０Ａ】本開示のいくつかの実施形態による、アップリンクマップ（ＵＬ−ＭＡＰ）メッセージのフォーマットを示す図。
【図１０Ｂ】本開示のいくつかの実施形態による、スロットオフセットが追加されたＵＬ−ＭＡＰメッセージのフォーマットを示す図。
【図１１】本開示のいくつかの実施形態による、様々なタイプのＵＬ−ＭＡＰ  ＩＥとＯＦＤＭＡアップリンク間隔使用符号（ＵＩＵＣ）値の表とを示す図。
【図１２Ａ】本開示のいくつかの実施形態による、スティッキー領域割振りのための例示的なＵＬ−ＭＡＰ  ＩＥを示す図。
【図１２Ｂ】本開示のいくつかの実施形態による、スティッキー領域割振りのための例示的なＵＬ−ＭＡＰ  ＩＥを示す図。
【図１２Ｃ】本開示のいくつかの実施形態による、スティッキー領域割振りのための例示的なＵＬ−ＭＡＰ  ＩＥを示す図。
【図１３】本開示のいくつかの実施形態による、図１２Ａ〜図１２ＣのＵＬ−ＭＡＰ  ＩＥを解釈するための例示的な動作のフローチャート。
【図１４】本開示のいくつかの実施形態による、移動局（ＭＳ）の観点から、ＵＬ−ＭＡＰをもつ複数のＯＦＤＭＡフレームを受信し、スティッキー領域割振りのためのＵＬ−ＭＡＰ  ＩＥを使用して送信のためのＵＬバーストを書き込むための例示的な動作のフローチャート。
【図１５】本開示のいくつかの実施形態による、対応するデータバーストの位置を特定するためのＭＡＰ  ＩＥありおよびなしのＯＦＤＭＡフレームを送信するための例示的な動作のフローチャート。
【図１５Ａ】本開示のいくつかの実施形態による、図１５の、ＯＦＤＭＡフレームを送信するための例示的な動作に対応する手段のブロック図。
【図１６】本開示のいくつかの実施形態による、ＯＦＤＭＡフレームを受信し、ＭＡＰ  ＩＥありおよびなしの対応するデータバーストの位置を特定するための例示的な動作のフローチャート。
【図１６Ａ】本開示のいくつかの実施形態による、図１６の、ＯＦＤＭＡフレームを受信し、対応するデータバーストの位置を特定するための例示的な動作に対応する手段のブロック図。
【詳細な説明】
【００１８】
本開示のいくつかの実施形態は、あらゆるフレーム中に各ユーザ端末のためのＭＡＰ情報要素（ＭＡＰ  ＩＥ）を挿入するのではなく、ユーザ端末が複数の直交周波数分割多重（ＯＦＤＭ）または直交周波数分割多元接続（ＯＦＤＭＡ）フレームのためのデータバーストを受信／送信することができるように、ＯＦＤＭ／ＯＦＤＭＡフレーム中のデータ領域を割り振る（「スティッキー領域割振り」と呼ばれる）ための技法および装置を提供する。このようにして、ダウンリンク（ＤＬ）およびアップリンク（ＵＬ）ＭＡＰメッセージなどの制御オーバーヘッドのサイズを低減し、それによって、データトラフィックのために利用可能なフレームリソースを増加させ、ＯＦＤＭ／ＯＦＤＭＡを使用するワイヤレスシステムの総合効率およびパフォーマンスをブースティングすることができる。
【００１９】
本明細書で使用するスティッキー領域は、一般に、基地局があらゆるＯＦＤＭ／ＯＦＤＭＡフレーム中でこのロケーション情報を送信する必要なしに、移動局がいくつかのフレーム内のデータバーストの位置を特定することができるように、あるフレーム間隔において生じるＯＦＤＭ／ＯＦＤＭＡフレーム内の一時的固定ロケーションを指す。
【００２０】
例示的なワイヤレス通信システム
本開示の方法および装置は、ブロードバンドワイヤレス通信システムにおいて利用できる。「ブロードバンドワイヤレス」という用語は、所与のエリアにわたるワイヤレス、音声、インターネット、および／またはデータネットワークアクセスを与える技術を指す。
【００２１】
Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表すＷｉＭＡＸは、長距離にわたる高いスループットブロードバンド接続を与える、規格ベースのブロードバンドワイヤレス技術である。現在、ＷｉＭＡＸの２つの主要な適用例、すなわち固定ＷｉＭＡＸとモバイルＷｉＭＡＸとがある。固定ＷｉＭＡＸ適用例は、たとえば、家庭および企業でのブロードバンドアクセスを可能にするポイントツーマルチポイントである。モバイルＷｉＭＡＸは、ブロードバンド速度でのセルラーネットワークのフルモビリティを提供する。
【００２２】
モバイルＷｉＭＡＸは、ＯＦＤＭ（直交周波数分割多重）およびＯＦＤＭＡ（直交周波数分割多元接続）技術に基づく。ＯＦＤＭは、最近、様々な高データレート通信システムに広く採用されているデジタルマルチキャリア変調技法である。ＯＦＤＭでは、送信ビットストリームは、複数の低レートサブストリームに分割される。各サブストリームは、複数の直交サブキャリアのうちの１つを用いて変調され、複数の並列サブチャネルのうちの１つの上で送信される。ＯＦＤＭＡは、ユーザが、異なるタイムスロットにおいてサブキャリアを割り当てられる多元接続技法である。ＯＦＤＭＡは、多種多様なアプリケーション、データレート、およびサービス品質要件をもつ多くのユーザに対応することができるフレキシブルな多元接続技法である。
【００２３】
ワイヤレスインターネットおよび通信の急成長は、ワイヤレス通信サービスの分野における高データレートに対する需要の増加をもたらした。ＯＦＤＭ／ＯＦＤＭＡシステムは、今日、最も有望な研究領域の１つとして、および次世代のワイヤレス通信のための主要な技術として考えられている。これは、ＯＦＤＭ／ＯＦＤＭＡ変調方式が、変調効率、スペクトル効率、柔軟性、および従来のシングルキャリア変調方式に勝る強いマルチパス耐性など多くの利点を与えることができることに起因する。
【００２４】
ＩＥＥＥ８０２．１６ｘは、固定およびモバイルブロードバンドワイヤレスアクセス（ＢＷＡ）システムのため、たとえば固定ＢＷＡシステムのためのおよびモバイルＢＷＡシステムのためのエアインターフェースを定義する新興の規格組織である。これらの規格は、少なくとも４つの異なる物理層（ＰＨＹ）および１つの媒体アクセス制御（ＭＡＣ）層を定義している。４つの物理層のうちのＯＦＤＭおよびＯＦＤＭＡ物理層は、それぞれ固定およびモバイルＢＷＡ領域において最も一般的である。
【００２５】
図１に、ワイヤレス通信システム１００の一例を示す。ワイヤレス通信システム１００は、ブロードバンドワイヤレス通信システムとすることができる。ワイヤレス通信システム１００は、いくつかのセル１０２に通信を与えることができ、各セルは基地局１０４によってサービスされる。基地局１０４は、ユーザ端末１０６と通信する固定局とすることができる。基地局１０４は、代替的に、アクセスポイント、ノードＢ、または何らかの他の用語で呼ばれることもある。
【００２６】
図１に、システム１００全体に散在する様々なユーザ端末１０６を示す。ユーザ端末１０６は固定（すなわち、静止）でも移動でもよい。ユーザ端末１０６は、代替的に、リモート局、アクセス端末、端末、加入者ユニット、移動局、局、ユーザ機器などと呼ばれることもある。ユーザ端末１０６は、セルラー電話、携帯情報端末（ＰＤＡ）、ハンドヘルドデバイス、ワイヤレスモデム、ラップトップコンピュータ、パーソナルコンピュータなどワイヤレスデバイスでもよい。
【００２７】
様々なアルゴリズムおよび方法を、基地局１０４とユーザ端末１０６との間の、ワイヤレス通信システム１００における送信のために使用することができる。たとえば、ＯＦＤＭ／ＯＦＤＭＡ技法に従って、基地局１０４とユーザ端末１０６との間で信号を送信および受信することができる。この場合には、ワイヤレス通信システム１００をＯＦＤＭ／ＯＦＤＭＡシステムと呼ぶことができる。
【００２８】
基地局１０４からユーザ端末１０６への送信を可能にする通信リンクをダウンリンク１０８と呼び、ユーザ端末１０６から基地局１０４への送信を可能にする通信リンクをアップリンク１１０と呼ぶことができる。代替的に、ダウンリンク１０８を順方向リンクまたは順方向チャネルと呼び、アップリンク１１０を逆方向リンクまたは逆方向チャネルと呼ぶことができる。
【００２９】
セル１０２は複数のセクタ１１２に分割できる。セクタ１１２は、セル１０２内の物理的カバレージエリアである。ワイヤレス通信システム１００内の基地局１０４は、セル１０２の特定のセクタ１１２内の電力の流れを集中させるアンテナを利用することができる。そのようなアンテナを指向性アンテナと呼ぶことができる。
【００３０】
図２に、ワイヤレスデバイス２０２中で利用できる様々な構成要素を示す。ワイヤレスデバイス２０２は、本明細書で説明する様々な方法を実装するように構成できるデバイスの一例である。ワイヤレスデバイス２０２は基地局１０４またはユーザ端末１０６とすることができる。
【００３１】
ワイヤレスデバイス２０２は、ワイヤレスデバイス２０２の動作を制御するプロセッサ２０４を含むことができる。プロセッサ２０４は中央処理装置（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に与える。メモリ２０６の一部は不揮発性ランダムアクセスメモリ（ＮＶＲＡＭ）をも含むことができる。プロセッサ２０４は一般に、メモリ２０６内に記憶されたプログラム命令に基づいて、論理および演算動作を実行する。メモリ２０６中の命令は、本明細書で説明する方法を実装するために実行可能である。
【００３２】
ワイヤレスデバイス２０２は、ワイヤレスデバイス２０２と遠隔地との間のデータの送信および受信を可能にするために送信機２１０と受信機２１２とを含むことができるハウジング２０８を含むこともできる。送信機２１０と受信機２１２とを組み合わせてトランシーバ２１４を形成することができる。アンテナ２１６は、ハウジング２０８に取り付けられ、トランシーバ２１４に電気的に結合される。ワイヤレスデバイス２０２は、複数の送信機、複数の受信機、複数のトランシーバ、および／または複数のアンテナ（図示せず）をも含むことができる。
【００３３】
ワイヤレスデバイス２０２は、トランシーバ２１４によって受信された信号のレベルを検出および定量化するために使用できる信号検出器２１８をも含むことができる。信号検出器２１８は、総エネルギー、パイロットサブキャリアからのパイロットエネルギーまたはプリアンブルシンボルからの信号エネルギー、電力スペクトル密度、および他の信号などの信号を検出できる。ワイヤレスデバイス２０２は、信号を処理する際に使用するためのデジタル信号プロセッサ（ＤＳＰ）２２０を含むこともできる。
【００３４】
ワイヤレスデバイス２０２の様々な構成要素は、データバスに加えて、パワーバス、制御信号バス、およびステータス信号バスを含むことができるバスシステム２２２によって一緒に結合できる。
【００３５】
図３に、ＯＦＤＭ／ＯＦＤＭＡを利用するワイヤレス通信システム１００内で使用できる送信機３０２の一例を示す。送信機３０２の部分は、ワイヤレスデバイス２０２の送信機２１０中に実装される。送信機３０２は、ダウンリンク１０８上でデータ３０６をユーザ端末１０６に送信するための基地局１０４中に実装される。送信機３０２は、アップリンク１１０上でデータ３０６を基地局１０４に送信するためのユーザ端末１０６中にも実装される。
【００３６】
送信されるデータ３０６は、直並列（Ｓ／Ｐ）変換器３０８に入力として供給されるものとして示してある。Ｓ／Ｐ変換器３０８は送信データをＮ個の並列データストリーム３１０に分割する。
【００３７】
次いで、Ｎ個の並列データストリーム３１０はマッパー３１２に入力として供給される。マッパー３１２は、Ｎ個の並列データストリーム３１０をＮ個のコンスタレーションポイントにマッピングすることができる。マッピングは、２位相偏移キーイング（ＢＰＳＫ）、４位相偏移キーイング（ＱＰＳＫ）、８位相偏移キーイング（８ＰＳＫ）、直交振幅変調（ＱＡＭ）など、何らかの変調コンスタレーションを使用して行われる。したがって、マッパー３１２は、それぞれ逆高速フーリエ変換（ＩＦＦＴ）３２０のＮ個の直交サブキャリアのうちの１つに対応する、Ｎ個の並列シンボルストリーム３１６を出力する。これらのＮ個の並列シンボルストリーム３１６は、周波数領域において表されて、ＩＦＦＴ構成要素３２０によってＮ個の並列時間領域サンプルストリーム３１８に変換される。
【００３８】
次に、用語に関する簡単な注釈を与える。周波数領域におけるＮ個の並列変調は、周波数領域におけるＮ個の変調シンボルに等しく、これは、周波数領域におけるＮ個のマッピングおよびＮ個のポイントＩＦＦＴに等しく、これは、時間領域における１つの（有用な）ＯＦＤＭシンボルに等しく、これは、時間領域におけるＮ個のサンプルに等しい。時間領域における１つのＯＦＤＭシンボル、Ｎｓは、Ｎｃｐ（ＯＦＤＭシンボル当たりのガードサンプル数）＋Ｎ（ＯＦＤＭシンボル当たりの有用なサンプル数）に等しい。
【００３９】
Ｎ個の並列時間領域サンプルストリーム３１８は、並直列（Ｐ／Ｓ）変換器３２４によって、ＯＦＤＭ／ＯＦＤＭＡシンボルストリーム３２２に変換される。ガード挿入構成要素３２６は、ＯＦＤＭ／ＯＦＤＭＡシンボルストリーム３２２中の連続したＯＦＤＭ／ＯＦＤＭＡシンボル間にガードインターバルを挿入する。次いで、ガード挿入構成要素３２６の出力は、無線周波数（ＲＦ）フロントエンド３２８によって、所望の送信周波数帯域にアップコンバートされる。次いで、アンテナ３３０は、得られた信号３３２を送信する。
【００４０】
図３に、ＯＦＤＭ／ＯＦＤＭＡを利用するワイヤレス通信システム１００内で使用できる受信機３０４の一例をも示す。受信機３０４の部分は、ワイヤレスデバイス２０２の受信機２１２中に実装される。受信機３０４は、ダウンリンク１０８上で基地局１０４からデータ３０６を受信するためのユーザ端末１０６中に実装される。受信機３０４は、アップリンク１１０上でユーザ端末１０６からデータ３０６を受信するための基地局１０４中に実装される。
【００４１】
送信信号３３２は、ワイヤレスチャネル３３４上を移動するものとして示してある。信号３３２’がアンテナ３３０’によって受信されると、受信信号３３２’はＲＦフロントエンド３２８’によってベースバンド信号にダウンコンバートされる。次いで、ガード除去構成要素３２６’は、ガード挿入構成要素３２６によってＯＦＤＭ／ＯＦＤＭＡシンボル間に挿入されたガードインターバルを除去する。
【００４２】
ガード除去構成要素３２６’の出力はＳ／Ｐ変換器３２４’に供給される。Ｓ／Ｐ変換器３２４’は、ＯＦＤＭ／ＯＦＤＭＡシンボルストリーム３２２’を、それぞれＮ個の直交サブキャリアのうちの１つに対応するＮ個の並列時間領域シンボルストリーム３１８’に分割する。高速フーリエ変換（ＦＦＴ）構成要素３２０’は、Ｎ個の並列時間領域シンボルストリーム３１８’を周波数領域に変換し、Ｎ個の並列周波数領域シンボルストリーム３１６’を出力する。
【００４３】
デマッパー３１２’は、マッパー３１２によって実行されたシンボルマッピング動作の逆を実行し、それによって、Ｎ個の並列データストリーム３１０’を出力する。Ｐ／Ｓ変換器３０８’は、Ｎ個の並列データストリーム３１０’を単一のデータストリーム３０６’に合成する。理想的には、このデータストリーム３０６’は、送信機３０２に入力として供給されたデータ３０６に対応する。
【００４４】
例示的なＯＦＤＭ／ＯＦＤＭＡフレーム
次に図４Ａを参照すると、時分割複信（ＴＤＤ）実装形態のためのＯＦＤＭ／ＯＦＤＭＡフレーム４００が、限定ではなく代表的な例として示されている。全二重および半二重周波数分割複信（ＦＤＤ）など、ＯＦＤＭ／ＯＦＤＭＡフレームの他の実装形態を使用することができ、その場合、ダウンリンク（ＤＬ）メッセージとアップリンク（ＵＬ）メッセージの両方が異なるキャリアを介して同時に送信されることを除いて、フレームは同じである。ＴＤＤ実装形態では、各フレームは、ＤＬ送信とＵＬ送信との衝突を防ぐために、ＤＬサブフレーム４０２とＵＬサブフレーム４０４とに分割でき、これらは、小さいガードインターバル４０６、または、より詳細には、送信／受信遷移間隙（ＴＴＧ）および受信／送信遷移間隙（ＲＴＧ）によって分離できる。ＤＬ対ＵＬサブフレーム比は、異なるトラフィックプロファイルをサポートするために、３：１から１：１まで変動する。
【００４５】
ＯＦＤＭ／ＯＦＤＭＡフレーム４００内には、様々な制御情報を含めることができる。たとえば、フレーム４００の第１のＯＦＤＭ／ＯＦＤＭＡシンボルは、同期のために使用されるいくつかのパイロット信号（パイロット）を含むことができるプリアンブル４０８とすることができる。プリアンブル４０８の内側の固定パイロットシーケンスにより、受信機３０４は、周波数および位相エラーを推定し、送信機３０２に同期することができる。その上、プリアンブル４０８中の固定パイロットシーケンスを利用して、ワイヤレスチャネルを推定し、等化することができる。プリアンブル４０８は、ＢＰＳＫ変調された搬送波を含むことができ、一般に１ＯＦＤＭシンボル長である。プリアンブル４０８のキャリアは、電力をブースティングされ、一般にＷｉＭＡＸ信号中のデータ部分の周波数領域中の電力レベルよりも数デシベル（ｄＢ）（たとえば、９ｄＢ）高い。使用されるプリアンブルキャリアの番号は、ゾーンの３つのセグメントのいずれが使用されるかを示すことができる。たとえば、キャリア０、３、６、．．．はセグメント０が使用されることを示し、キャリア１、４、７、．．．はセグメント１が使用されることを示し、キャリア２、５、８、．．．はセグメント２が使用されることを示すことができる。
【００４６】
フレーム制御ヘッダ（ＦＣＨ）４１０はプリアンブル４０８に続くことができる。ＦＣＨ４１０は、使用可能なサブチャネル、変調および符号化方式などのフレーム構成情報と、現在のＯＦＤＭ／ＯＦＤＭＡフレームのためのＭＡＰメッセージ長とを与えることができる。フレーム構成情報を略述する、ダウンリンクフレームプレフィックス（ＤＬＦＰ）４１２などのデータ構造は、ＦＣＨ４１０にマッピングできる。
【００４７】
図４Ｂに示すように、Ｍｏｂｉｌｅ  ＷｉＭＡＸのためのＤＬＦＰ４１２は、使用されるサブチャネル（ＳＣＨ）ビットマップを表す６ビット４１２ａと、０に設定された予約済みの１ビット４１２ｂと、反復符号化指示を表す２ビット４１２ｃと、符号化指示を表す３ビット４１２ｄと、ＭＡＰメッセージ長を表す８ビット４１２ｅと、０に設定された予約済みの４ビット４１２ｆとを備えることができ、ＤＬＦＰ４１２中の合計２４ビットとなる。ＦＣＨ４１０にマッピングされる前に、２４ビットＤＬＦＰが複製され、最小前方誤り訂正（ＦＥＣ）ブロックサイズである４８ビットブロックを形成することができる。
【００４８】
ＦＣＨ４１０に続いて、ＤＬ−ＭＡＰ４１４およびＵＬ−ＭＡＰ４１６は、ＤＬサブフレーム４０２およびＵＬサブフレーム４０４のためのサブチャネル割振りおよび他の制御情報を指定することができる。ＯＦＤＭＡの場合は、フレーム内のデータ領域を複数のユーザに割り振ることができ、これらの割振りをＤＬ−ＭＡＰ４１４およびＵＬ−ＭＡＰ４１６中に指定することができる。ＭＡＰメッセージは、特定のリンクにおいて使用される変調および符号化方式を定義する、ユーザごとのバーストプロファイルを含むことができる。ＭＡＰメッセージはすべてのユーザに達する必要がある重要な情報を含んでいるので、ＤＬ−ＭＡＰ４１４およびＵＬ−ＭＡＰ４１６は、レート１／２符号化および反復符号化を使用したＢＰＳＫまたはＱＰＳＫなどの非常に信頼できるリンクを介してしばしば送信される。ＯＦＤＭ／ＯＦＤＭＡフレームのＤＬサブフレーム４０２は、通信されているダウンリンクデータを含む様々なビット長のＤＬバーストを含むことができる。したがって、ＤＬ−ＭＡＰ４１４は、ダウンリンクゾーン中に含まれるバーストの位置およびダウンリンクバーストの数と、時間（すなわち、シンボル）方向と周波数（すなわち、サブチャネル）方向の両方におけるそれらのオフセットおよび長さとを記述することができる。
【００４９】
同様に、ＵＬサブフレーム４０４は、通信されているアップリンクデータから構成される、様々なビット長のＵＬバーストを含むことができる。したがって、ダウンリンクサブフレーム４０２中の第１のバーストとして送信されるＵＬ−ＭＡＰ４１６は、異なるユーザのためのＵＬバーストの位置に関する情報を含むことができる。ＵＬサブフレーム４０４は、図４Ａに示すように追加の制御情報を含むことができる。ＵＬサブフレーム４０４は、移動局（ＭＳ）がＤＬハイブリッド自動再送要求確認（ＨＡＲＱ  ＡＣＫ）をフィードバックするために割り振られるＵＬ  ＡＣＫ４１８、および／またはＭＳがチャネル品質インジケータチャネル（ＣＱＩＣＨ）に関するチャネル状態情報をフィードバックするために割り振られるＵＬＣＱＩＣＨ４２０を含むことができる。さらに、ＵＬサブフレーム４０４はＵＬレンジングサブチャネル４２２を備えることができる。ＵＬレンジングサブチャネル４２２は、ＭＳが、閉ループ時間、周波数、および電力調整、ならびに帯域幅要求を実行するために割り振られる。プリアンブル４０８、ＦＣＨ４１０、ＤＬ−ＭＡＰ４１４およびＵＬ−ＭＡＰ４１６は、全部で、受信機３０４が受信信号を正しく復調できるようにする情報を搬送することができる。
【００５０】
ＯＦＤＭＡでは、ＤＬにおける送信とＵＬにおける送信とに異なる「モード」を使用することができる。あるモードが使用される時間領域中のエリアは、一般にゾーンと呼ばれる。１つのタイプのゾーンは、ＤＬ−ＰＵＳＣ（サブチャネルのダウンリンク部分使用）と呼ばれ、それに利用可能なすべてのサブチャネルを使用することができるわけではない（すなわち、ＤＬ−ＰＵＳＣゾーンはサブチャネルの特定のグループのみを使用することができる）。合計６つのサブチャネルグループが存在することができ、それらを最高３つのセグメントに割り当てることができる。したがって、セグメントは、１つ〜６つのサブチャネルグループを含むことができる（たとえば、セグメント０は３つのサブチャネルグループを含み、セグメント１は２つを含み、セグメント２は１つのサブチャネルグループを含む）。別のタイプのゾーンはＤＬ−ＦＵＳＣ（サブチャネルのダウンリンク完全使用）と呼ばれる。ＤＬ−ＰＵＳＣとは異なり、ＤＬ−ＦＵＳＣは、セグメントを使用せず、完全な周波数レンジを介してすべてのバーストを配信することができる。
【００５１】
例示的なＤＬ−ＭＡＰおよび例示的なＤＬ−ＭＡＰ  ＩＥ
図４ＡのＤＬ−ＭＡＰ４１４を、図５により詳細に示す。ＤＬ−ＭＡＰ４１４は、制御メッセージがＤＬ−ＭＡＰであることを示すために２（００００００１０ｂ）の値を有する、８ビットの長さを有する管理メッセージタイプ５０２で開始することができる。管理メッセージタイプ５０２の後に、８ビット長であるフレーム持続期間符号５０４および２４ビット長であるフレーム番号５０６が続くことができる。フレーム番号５０６の後に、８ビットの長さを有し、ＤＣＤ構成変更カウント値に一致するダウンリンクチャネル記述子（ＤＣＤ）カウント５０８が続くことができる。ＤＣＤメッセージは、変調タイプ、前方誤り訂正（ＦＥＣ）符号タイプなどを含む、ダウンリンクに割り振られた各バースト期間に適用される物理層および媒体アクセス制御（ＭＡＣ）層に関連するパラメータを指す。ＤＣＤカウント５０８の後に、６バイトの長さを有し、全長４８ビットとなる基地局識別子（ＢＳＩＤ）５１０が続くことができる。ＢＳＩＤ５１０は、ネットワーク基地局を一意に識別することができ、その後に、ＤＬサブフレーム４０２中のＯＦＤＭＡシンボルの数を示し、８ビットの長さを有するＤＬシンボル持続期間５１２が続くことができる。
【００５２】
可変長さを有するいくつか（ｎ個）のＤＬ−ＭＡＰ情報要素（ＩＥ）５１４がＤＬシンボル持続期間５１２の後に続くことができる。一般的なＤＬ−ＭＡＰ  ＩＥ５１４は、ダウンリンク送信を定義するために、ダウンリンク間隔使用符号（ＤＩＵＣ）５１６、接続ＩＤのリスト５１８、およびＤＬバースト割振り５２０（たとえば、サブチャネルオフセット、シンボルオフセット、サブチャネル数およびシンボル数）を備えることができる。両端を含む０から１２までのＤＩＵＣ５１６は、ＤＬ−ＭＡＰ  ＩＥがＤＬバーストプロファイル（すなわち、バーストにおいて使用される変調および符号化方式）を与えることを示し、１４または１５のＤＩＵＣ５１６はＤＬ−ＭＡＰ  ＩＥが制御情報要素であることを示すことができる。１３のＤＩＵＣ５１６は、ＤＬ−ＭＡＰ  ＩＥがセーフティゾーン（すなわち、間隙）およびピーク平均電力比（ＰＡＰＲ）低減のために使用されることを示すことができる。図５には示されていないが、ＤＬ−ＭＡＰ４１４のいくつかの実施形態は、ＤＬ−ＭＡＰ４１４のバイト境界に達するために、４ビットの長さを有するパディングを含むことができる。
【００５３】
次に図６Ａ〜図６Ｃを参照すると、様々なタイプのＤＬ−ＭＡＰ  ＩＥ５１４の例がより詳細に示されている。図６Ａに、１５、１４、または０〜１３に等しいＤＩＵＣ５１６値を有するＤＬ−ＭＡＰ  ＩＥを示す。ＤＩＵＣ５１６が両端を含む０から１３までの値を有するとき、図６ＡのＤＬ−ＭＡＰ  ＩＥ６００は、ＩＮＣ＿ＣＩＤ（ＣＩＤを含む）がＣＩＤ＿ＳＷＩＴＣＨ＿ＩＥによって１の値にトグルされたかどうかに応じて接続識別子（ＣＩＤ）のリスト５１８を含むことができる。ＩＮＣ＿ＣＩＤが１に等しい場合、ＤＬ−ＭＡＰ  ＩＥ６００は、８ビットの長さを有する、ＣＩＤの数を示す値（Ｎ＿ＣＩＤ）と、このＩＥ用に割り当てられた、各々１６ビットの長さを有する対応する数のＣＩＤとを有することができる。ＩＮＣ＿ＣＩＤが０に等しい場合、ＤＬ−ＭＡＰ  ＩＥ６００は０ビットの長さのＣＩＤのリスト５１８を有する。随意のＣＩＤのリスト５１８に続いて、ＤＬ−ＭＡＰ  ＩＥ６００は、８ビットの長さを有するＯＦＤＭＡシンボルオフセット６０２から構成できる。
【００５４】
リンク適応としても知られる適応変調符号化（ＡＭＣ）は、ワイヤレスチャネルの状態（たとえば、チャネル損失、受信感度、利用可能な送信機電力、および他の送信機から干渉）への変調、符号化、および他の信号およびプロトコルパラメータの一致を示す。使用されるＡＭＣ方式に応じて、ＤＬ−ＭＡＰ  ＩＥ６００は少なくとも２つの異なる構造を有することができる。ＡＭＣ置換が３つのシンボルごとに２つのビン（２×３）または６つのシンボルごとに１つのビン（１×６）である場合、ＤＬ−ＭＡＰ  ＩＥ６００は、８ビットの長さを有するサブチャネルオフセット６０４と、３ビットの長さを有するブースティングフィールド６０６と、５ビットの長さを有するＯＦＤＭＡトリプルシンボル数フィールド６０８と、６ビットの長さを有するサブチャネル数フィールド６１０とをもつ、図６Ａ中の上部構造で構成できる。他の場合、ＤＬ−ＭＡＰ  ＩＥ６００は、６ビットの長さを有するサブチャネルオフセット６１２と、３ビットの長さを有するブースティングフィールド６１４と、７ビットの長さを有するＯＦＤＭＡシンボル数フィールド６１６と、６ビットの長さを有するＯＦＤＭＡサブチャネル数フィールド６１８とをもつ、６Ａ図中の下部構造で構成できる。ブースティングフィールド６０６、６１４は、ブースティング値を示す様々な３ビット値を有することができ、０００ｂはブースティングなしを示し、００１ｂは＋６ｄＢブースティングを示し、０１０ｂは−６ｄＢブースティングを示し、０１１ｂは＋９ｄＢブースティングを示し、１００ｂは＋３ｄＢブースティングを示し、１０１ｂは−３ｄＢブースティングを示し、１１０ｂは−９ｄＢブースティングを示し、１１１のｂは−１２ｄＢブースティングを示す。
【００５５】
次いで、ＤＬ−ＭＡＰ  ＩＥ６００は、２ビットの長さを有する反復符号化指示６２０を含むことができる。反復符号化指示６２０は、反復符号化を示す様々な２ビット値を有することができ、００ｂは反復符号化なしを示し、０１ｂは２回の反復符号化が使用されることを示し、１０ｂは４回の反復符号化が使用されることを示し、１１ｂは６回の反復符号化が使用されることを示す。
【００５６】
図６Ｂに、ＤＬ−ＭＡＰ拡張ＩＥ６３０を示す。４ビット値の１５（１１１１ｂ）を有するＤＩＵＣ５１６の後、ＤＬ−ＭＡＰ拡張ＩＥ６３０は、４ビットの長さを有する拡張ＤＩＵＣ６３２と、４ビットの長さを有する長さフィールド６３４と、長さフィールド６３４に従って様々な長さを有するデータフィールド６３６とを有することができる。したがって、ＤＬ−ＭＡＰ拡張ＩＥ６３０は、１２ビット＋長さフィールド６３４中の値の長さを有することができる。拡張ＤＩＵＣ６３２が０に等しい場合、ＤＬ−ＭＡＰ拡張ＩＥ６３０はＯＦＤＭＡチャネル測定ＩＥ６３８用とすることができる。拡張ＤＩＵＣ６３２が１に等しい場合、ＤＬ−ＭＡＰ拡張ＩＥ６３０は図示のようにＯＦＤＭＡ  ＳＴＣ＿ＤＬ＿ＺＯＮＥ  ＩＥ６４０用とすることができる。
【００５７】
図６Ｃに、ＤＬ−ＭＡＰ拡張２ＩＥ６６０を示す。４ビットの値１４（１１１０ｂ）を有するＤＩＵＣ５１６の後、ＤＬ−ＭＡＰ拡張ＩＥ６６０は、４ビットの長さを有する拡張２ＤＩＵＣ６６２と、４ビットの長さを有する長さフィールド６６４と、長さフィールド６６４に従って様々な長さを有するデータフィールド６６６とを有することができる。したがって、ＤＬ−ＭＡＰ拡張２ＩＥ６６０は、１６ビット＋長さフィールド６６４中の値の長さを有することができる。拡張２ＤＩＵＣ６６２が０に等しい場合、ＤＬ−ＭＡＰ拡張２ＩＥ６６０はＭＢＳ＿ＭＡＰ＿ＩＥ６６８用とすることができる。拡張２ＤＩＵＣ６６２が７（０１１１ｂ）に等しい場合、ＤＬ−ＭＡＰ拡張２ＩＥ６６０は図示のようにＨＡＲＱ＿ＤＬ＿ＭＡＰ＿ＩＥ  ６７０用とすることができる。
【００５８】
スティッキー領域割振りのための例示的なＤＬ−ＭＡＰ  ＩＥ
データトラフィックのためにより多くのフレームリソースを使用することができるように、後続のフレーム中のＤＬ−ＭＡＰ４１４のサイズを低減するために、図７Ａ〜図７Ｃに、スティッキー領域割振りのための例示的なＤＬ−ＭＡＰ  ＩＥを示す。図７Ａに、特定の移動局を対象とするＤＬデータバーストを得るための割り振られたスティッキー領域をその移動局に通知するために使用できる例示的な割振り開始ＤＬ−ＭＡＰ  ＩＥ７００を示す。図７Ａ中の割振り開始ＤＬ−ＭＡＰ  ＩＥ７００は、１４に等しいＤＩＵＣ５１６をもつＤＬ−ＭＡＰ拡張２ＩＥ６６０を使用しているが、１５に等しいＤＩＵＣ５１６を有するＤＬ−ＭＡＰ拡張ＩＥ６３０など、割振り開始ＤＬ−ＭＡＰ  ＩＥ中のすべての情報の組込みを可能にする任意の適切なＤＬ−ＭＡＰ  ＩＥ構造を使用することができる。割振り開始ＤＬ−ＭＡＰ  ＩＥ７００のＤＩＵＣ５１６の後に、たとえば、このＤＬ−ＭＡＰ  ＩＥがスティッキー領域割振りに関係することを示すため、およびＩＥ中の一連のビットの構造を搬送するために、１２（１１００ｂ）に等しい値を有する拡張２ＤＩＵＣ６６２が続くことができる。１２に等しい拡張２ＤＩＵＣ６６２を図７Ａに示すが、ＤＬ−ＭＡＰ  ＩＥの拡張タイプ用か拡張２タイプ用かにかかわらず、別のタイプのＩＥを指定しない任意の適切な値を選択することができる。拡張２ＤＩＵＣ６６２の後に、上述のように長さフィールド６６４が続くことができる。
【００５９】
長さフィールド６６４とスティッキー領域割振りのための制御のタイプを指定するために、３つの主要なカテゴリー、すなわち割振りの開始と、割振りの変更と、割振りの終了とに分割することができるタイプフィールド７０２の後に、割振り開始ＤＬ−ＭＡＰ  ＩＥ７００が続くことができる。１に等しいタイプフィールド７０２は、たとえば、スティッキー領域割振りＤＬ−ＭＡＰ  ＩＥが図示のように割振り開始ＤＬ−ＭＡＰ  ＩＥ７００であることを示すことができる。タイプフィールド７０２の後に、スティッキー領域の（１つまたは複数の）所有者移動局を指定するための接続識別子（ＣＩＤ）７０４が続くことができ、ＣＩＤ７０４の後にスティッキー領域を識別するための割振りＩＤ７０６が続くことができる。より短い割振りＩＤ７０６を導入することによって、スティッキー領域割振りを変更または終了する後続のＤＬ−ＭＡＰ  ＩＥ中でより長いＣＩＤ７０４を使用する必要はなく、それによって、このスティッキー領域のためのＤＬ−ＭＡＰ  ＩＥを有する後続のフレーム中のＤＬ−ＭＡＰ４１４のサイズをさらに低減する。
【００６０】
割振り開始ＤＬ−ＭＡＰ  ＩＥ７００では、何かが変化しない限りＭＳがスティッキー領域中のＤＬデータバーストの位置を特定するための追加情報を必要としないように、割振りＩＤ７０６の後に、スティッキー領域をセットアップし、移動局に十分な情報を与える際に有用と考えられるあらゆる構成要素が続くことができる。これらの構成要素の順序を再構成することができ、これらの構成要素の様々な組合せをスティッキー領域割振りのために使用することができる。たとえば、割振りＩＤ７０６の後に、ＤＬデータバーストを送信するために使用される変調タイプを指定することができるＤＩＵＣ７０８が続くことができる。
【００６１】
図７Ａに示すように、ＤＩＵＣ７０８の後に、スティッキー領域について説明するための様々なフィールドを含むことができる領域情報７０９が続くことができる。たとえば、領域情報７０９は、シンボルインデックスに従う（すなわち、時間における）スティッキー領域（すなわちＯＦＤＭ／ＯＦＤＭＡフレーム中の割り振られたＤＬデータバースト）の開始の位置を特定するために使用できるシンボルオフセット７１０を含むことができる。シンボルオフセット７１０の後に、ＤＬデータバーストのために使用されるＡＭＣ置換を示すことができる置換タイプ７１２が続くことができる。置換タイプ７１２の後に、サブチャネルインデックスに従う（すなわち、周波数における）スティッキー領域の開始の位置を特定するために使用できるサブチャネルオフセット７１４が続くことができる。サブチャネルオフセット７１４の後に、（サブチャネルに関してスティッキー領域のサイズを示すための）サブチャネルの数７１６および（シンボルに関してスティッキー領域のサイズを示すための）シンボルの数７１８が続くことができる。シンボルの数７１８の後に、スティッキー領域中のＤＬデータバーストのために使用される電力ブースティングのディスクリートレベルを示すことができるブースティングレベル７２０が続くことができる。一例として図７Ａに示すように、ブースティングレベル７２０の後に、ＤＬデータバーストのために使用される反復符号化（たとえば、反復なし、２回、４回、または６回）を示すことができる反復符号化タイプ７２２が続くことができる。反復符号化タイプ７２２は、領域情報７０９中の最後のフィールドとすることができる。
【００６２】
領域情報７０９の後に、復号するＣＩＤ７０４中に記載される（１つまたは複数の）移動局のためのＤＬデータバーストが存在するように、スティッキー領域がどのＯＦＤＭ／ＯＦＤＭＡフレーム中に最初に現れるかを示すことができる開始フレーム番号７２４が続くことができる。開始フレーム番号７２４の後に、一連の受信フレーム全体にわたってスティッキー領域の出現の頻度を指定することができる割振り間隔７２６が続くことができる。割振り間隔７２６の後に、スティッキー領域割振りの終了を示すことができ、スティッキー領域が最後に現れるＯＦＤＭ／ＯＦＤＭＡフレームを指定することができる終了フレーム番号７２８が続くことができる。いくつかの実施形態の場合、終了フレーム番号７２８は、スティッキー領域が割振り間隔７２６に従って現れない最初のＯＦＤＭ／ＯＦＤＭＡフレームまたはスティッキー領域の最後の出現を含むフレームの直後のフレームを指定することができる。スティッキー領域割振りを終了するために別のタイプのＤＬ−ＭＡＰ  ＩＥを使用することができるので、いくつかの実施形態は、割振り開始ＤＬ−ＭＡＰ  ＩＥ７００中にパラメータとして終了フレーム番号７２８を含まないことがある。
【００６３】
終了フレーム番号７２８の後に、移動局が、スティッキー領域割振りの確認応答を基地局にどのように与えるべきかを指定することができる確認応答（ＡＣＫ）領域情報７３０が続くことができる。現在または将来のＯＦＤＭＡフレーム中のＵＬ−ＭＡＰ４１６は、確認応答を送信するためにスティッキー領域割振りＩＤおよびＭＳのための対応するＡＣＫ領域情報を指定する領域割振りＩＥを含むことができる。ＭＳからＡＣＫを受信した後、ＢＳは、スティッキー領域割振りを開始し、それに応じて送信を開始することができる。ＢＳが割当てＵＬ領域を介してＡＣＫを受信しない場合、ＢＳは割振り開始ＤＬ−ＭＡＰ  ＩＥ７００を再送信することができる。
【００６４】
次に図７Ｂを参照すると、割振り開始ＤＬ−ＭＡＰ  ＩＥ７００によって割り振られたスティッキー領域のパラメータの任意のパラメータまたは組合せは、任意の後続のフレーム中で割振り変更ＤＬ−ＭＡＰ  ＩＥに従って変更できる。しかしながら、スティッキー領域割振りを割振りの開始からその終了まで調整する必要がない場合、スティッキー領域のいくつかのインスタンスは割振り変更ＤＬ−ＭＡＰ  ＩＥを使用しないことがある。
【００６５】
スティッキー領域割振りを変更するための１つの例示的なＤＬ−ＭＡＰ  ＩＥは、スティッキー領域割振りのすべての可能なパラメータを更新することができる割振り変更ＤＬ−ＭＡＰ  ＩＥ７５０である。割振り変更ＤＬ−ＭＡＰ  ＩＥ７５０は、たとえば、変更されるスティッキー領域のパラメータを示すために、３に等しいタイプフィールド７０２を有することができる。いくつかの実施形態の場合、タイプフィールド７０２に従ってすべてのパラメータを含むことができるが、１つまたは複数の特定のパラメータ内に含まれる値はそれらの特定のパラメータのうちの１つまたは複数を含んでいる割振り開始ＤＬ−ＭＡＰ  ＩＥまたは前の割振り変更ＤＬ−ＭＡＰ  ＩＥからそのまま残ることができる。したがって、割振り変更ＤＬ−ＭＡＰ  ＩＥ７５０は、図７Ｂに示すように、（割り振られたスティッキー領域に対応する移動局が変化してはならず、より短い割振りＩＤ７０６によって表されるので）ＣＩＤ７０４と（これらのフレーム番号は割り振られたスティッキー領域に関して変化してはならないので）開始フレーム番号７２４および終了フレーム番号７２８とを除いて、割振り開始ＤＬ−ＭＡＰ  ＩＥ７００からのすべてのパラメータを含むことができる。
【００６６】
この場合も、割振り変更ＤＬ−ＭＡＰ  ＩＥ７５０は、移動局が、変更されたスティッキー領域割振りの確認応答を基地局にどのように与えるべきかを指定するために、ＡＣＫ領域情報７３０を含むことができる。上述のようにＢＳが割当てＵＬ領域を介してＡＣＫを受信しない場合、ＢＳは割振り変更ＤＬ−ＭＡＰ  ＩＥ７５０を再送信することができる。
【００６７】
割振り変更ＤＬ−ＭＡＰ  ＩＥ７５０はスティッキー領域のパラメータの任意のパラメータまたは組合せを変更するために使用できるが、本開示のいくつかの実施形態の目的はＤＬ−ＭＡＰ４１４などの制御オーバーヘッドのサイズを低減することである。したがって、タイプフィールド７０２に従ってパラメータのいくつかのパラメータまたは組合せを変更するために、他のより短い割振り変更ＤＬ−ＭＡＰ  ＩＥを使用することができる。たとえば、図７Ｂの割振り変更ＤＬ−ＭＡＰ  ＩＥ７６０は、たとえば、スティッキー領域のＤＩＵＣ７０８だけが変更されることを示すために、４に等しいタイプフィールド７０２を有することができる。スティッキー領域のＤＩＵＣ５１６、拡張２ＤＩＵＣ６６２、長さフィールド６６４、タイプフィールド７０２、割振りＩＤ７０６、ＤＩＵＣ７０８、およびＡＣＫ領域情報７３０だけを含めることによって、割振り変更ＤＬ−ＭＡＰ  ＩＥ７６０は、割振り開始ＤＬ−ＭＡＰ  ＩＥ７００またはＤＬデータバーストの位置を特定し、復号するためのすべての情報を含む従来のＤＬ−ＭＡＰ  ＩＥよりもかなり短い。
【００６８】
図７Ｂに、割振り変更ＤＬ−ＭＡＰ  ＩＥのさらに別の例を示す。短い割振り変更ＤＬ−ＭＡＰ  ＩＥ７６０と同様の例、割振り変更ＤＬ−ＭＡＰ  ＩＥ７７０は、たとえば、スティッキー領域の割振り間隔７２６だけが変更されることを示すために、５に等しいタイプフィールド７０２を有することができる。
【００６９】
図７Ｃに、スティッキー領域割振りを終了するための割振り終了ＤＬ−ＭＡＰ  ＩＥ７９０を示す。たとえば、スティッキー領域が終了し、割振りＩＤ７０６がキャンセルされ、特定のスティッキー領域に関連しなくなることを示すために、割振り終了ＤＬ−ＭＡＰ  ＩＥ７９０は０に等しいタイプフィールド７０２を有することができる。スティッキー領域割振りがいつ終了されるべきかを示すために割振り開始ＤＬ−ＭＡＰ  ＩＥ７００中の終了フレーム番号７２８を使用することができるので、いくつかの実施形態は割振り終了ＤＬ−ＭＡＰ  ＩＥ７９０を採用しないことがある。他の実施形態の場合、最初に終了フレーム番号７２８によって提案されたよりも前にスティッキー領域割振りを終了するために、割振り終了ＤＬ−ＭＡＰ  ＩＥ７９０を使用することができる。いくつかの実施形態の場合、移動局が、割り振られたスティッキー領域の一部分中の、またはそれと重なるＤＬデータバーストを指す非スティッキー領域ＤＬ−ＭＡＰ  ＩＥを復号する場合、移動局は、スティッキー領域割振りが終了したことを決定することができる。
【００７０】
図７Ｃに示すように、割振り終了ＤＬ−ＭＡＰ  ＩＥ７９０は、移動局が、終了したスティッキー領域割振りの確認応答を基地局にどのように与えるべきかを指定するために、ＡＣＫ領域情報７３０を含むことができる。上述のようにＢＳが割当てＵＬ領域を介してＡＣＫを受信しない場合、ＢＳは割振り終了ＤＬ−ＭＡＰ  ＩＥ７９０を再送信することができる。
【００７１】
スティッキー領域割振りのためのＤＬ−ＭＡＰ  ＩＥを解釈するための例示的な方法
図８は、図７Ａ〜図７ＣのＤＬ−ＭＡＰ  ＩＥなど、スティッキー領域割振りのためのＤＬ−ＭＡＰ  ＩＥを解釈するための例示的な動作８００のフローチャートである。動作８００は、８０２において、ＯＦＤＭ／ＯＦＤＭＡフレーム４００のＤＬ−ＭＡＰ４１４中のＤＬ−ＭＡＰ  ＩＥ５１４を受信することによって開始する。８０４において、ＤＩＵＣ５１６および場合によっては拡張２ＤＩＵＣ６６２（またはいくつかの実施形態では拡張ＤＩＵＣ６３２）を読み取る。
【００７２】
８０６において、ＤＩＵＣ値がスティッキー領域割振りを示さない場合、ＤＬ−ＭＡＰ  ＩＥは従来どおりＤＩＵＣ５１６に基づいて解釈され、これは動作８００の範囲外であり、動作８００は、８０２において同じフレームまたは異なるフレームからの新しいＤＬ−ＭＡＰ  ＩＥで開始して反復する。すべての移動局がスティッキー領域割振り、特に競合者の製品をサポートすることができるわけではないことは、ここで言及する価値がある。そのような場合、スティッキー領域割振りをサポートする基地局は、後方互換性があり、従来行われていたように、スティッキー領域割振りをサポートしない移動局の各々について各ＯＦＤＭ／ＯＦＤＭＡフレーム中で１つのＤＬ−ＭＡＰ  ＩＥを送信することができる。基地局は、このオーバーヘッド低減技法をサポートする移動局についてスティッキー領域割振りを使用し続けることができる。
【００７３】
しかしながら、８０６においてＤＩＵＣ値がスティッキー領域割振りを示す（たとえば、ＤＩＵＣ５１６が１４に等しく、拡張２ＤＩＵＣ６６２が１２に等しい）場合は、８０８において長さフィールド（たとえば、長さフィールド６６４）から長さ値を読み取る。８１０において、長さ値に従ってスティッキー領域ＤＬ−ＭＡＰ  ＩＥの残りの部分を読み取る。スティッキー領域ＤＬ−ＭＡＰ  ＩＥの残りの部分は、上述のようにタイプフィールド７０２と割振りＩＤ７０６とを含むことができる。８１２において、タイプフィールド７０２とスティッキー領域ＤＬ−ＭＡＰ  ＩＥの残りの部分中の任意のスティッキー領域パラメータとに基づいて、割振りＩＤ７０６によって識別されたスティッキー領域割振りのためのアクションを実行する（たとえば、スティッキー領域割振りを開始するか、または割り振られたスティッキー領域のいくつかのパラメータを変更する）。動作８００は、８０２において同じフレームまたは異なるフレームからの新しいＤＬ−ＭＡＰ  ＩＥで開始して反復する。
【００７４】
スティッキー領域割振りのためのＤＬ−ＭＡＰ  ＩＥを使用して動作する例示的な方法
スティッキー領域割振りのためのＤＬ−ＭＡＰ  ＩＥを解釈する方法について説明したので、図９に、移動局（ＭＳ）の観点から、複数のＯＦＤＭＡフレームを受信し、スティッキー領域割振りのためのＤＬ−ＭＡＰ  ＩＥを使用してＤＬデータバーストを復号するための例示的な動作９００のフローチャートを示す。図９の動作９００は、動作が開始する前にスティッキー領域がまだ割り振られていないと仮定しており、ＤＬデータバーストの位置を特定し、復号するために従来のＤＬ−ＭＡＰ  ＩＥを読み取ることには関係しない。本明細書で使用する「ＤＬデータバーストの位置を特定すること」は、一般にＤＬサブフレーム４０２内のＤＬデータバーストの位置を発見することを指す。さらに、動作９００は、明快のために単一のスティッキー領域のみに関係するが、複数のスティッキー領域を異なる開始フレーム番号および終了フレーム番号で割り振ることができる。
【００７５】
動作９００は、９０２において、ＯＦＤＭＡフレームのＤＬ−ＭＡＰ４１４中のＤＬ−ＭＡＰ  ＩＥ５１４を受信することによって開始する。９０４においてＤＬ−ＭＡＰ  ＩＥ５１４が割振り開始メッセージを含まない場合、動作９００は、９０２において同じフレームまたは異なるフレームからの新しいＤＬ−ＭＡＰ  ＩＥで開始して反復する。しかしながら、９０４においてＤＬ−ＭＡＰ  ＩＥ５１４が割振り開始メッセージ（たとえば割振り開始ＤＬ−ＭＡＰ  ＩＥ７００）を含む場合、９０５において、割振り開始メッセージに従ってＤＬスティッキー領域を割り振る。開始フレーム番号７２４に応じて、割振り開始メッセージをもつＤＬ−ＭＡＰ  ＩＥと同じフレーム中でＤＬデータバーストを復号する。
【００７６】
９０６において、新しいＤＬ−ＭＡＰ４１４をもつ新しいＯＦＤＭＡフレームを受信する。９０８において、ＤＬ−ＭＡＰがＤＬ−ＭＡＰ  ＩＥのいずれか中に割振り終了メッセージ（たとえば、割振り終了ＤＬ−ＭＡＰ  ＩＥ７９０）を含む場合、９０５において割り振られたスティッキー領域は、９１０において、たとえば割振りＩＤ７０６に従って終了し、動作９００は、９０２において同じフレームまたは異なるフレームからの新しいＤＬ−ＭＡＰ  ＩＥで開始して反復する。
【００７７】
しかしながら、９０８において、ＤＬ−ＭＡＰが、割り振られたスティッキー領域のための割振り終了メッセージを含まない場合、９１２において、移動局はＤＬ−ＭＡＰがＤＬ−ＭＡＰ  ＩＥのいずれか中に割振り変更メッセージを含むかどうかを判断する。ＤＬ−ＭＡＰが割振り変更メッセージ（たとえば、割振り変更ＤＬ−ＭＡＰ  ＩＥ７５０、７６０、７７０）を含む場合、たとえば、割振りＩＤ７０６によって識別されたスティッキー領域のパラメータを割振り変更メッセージに従って更新する。
【００７８】
９１２においてＤＬ−ＭＡＰが割振り変更メッセージを含んでいたかどうかにかかわらず、９１６において、移動局は、現在のＯＦＤＭＡフレーム中にスティッキー領域ＤＬデータバーストが含まれるかどうかを判断する。これは、最新の割振り間隔７２６に基づいて判断され、いくつかの実施形態の場合、割振り間隔７２６が変更されても、開始フレーム番号７２４に依存する。割り振られたスティッキー領域のためのＤＬデータバーストがこのフレーム中に含まれない場合、動作９００は、９０６において別の新しいＯＦＤＭＡフレームで開始して反復する。スティッキー領域ＤＬデータバーストが現在のフレーム中に含まれる場合、９１８において、最新のスティッキー領域パラメータからの制御情報を使用してＤＬデータバーストを復号し、そのうちのいくつかのパラメータは割振りの開始時に初期化され、他のパラメータは基地局と移動局との間のワイヤレス通信中に変更される。９１８においてスティッキー領域ＤＬデータバーストを復号した後、次いで、動作９００は、９０６において別の新しいＯＦＤＭＡフレームで開始して反復する。
【００７９】
動作９００においてスティッキー領域が割り振られると、移動局は、その特定のスティッキー領域ＤＬデータバーストに対応する別のＤＬ−ＭＡＰ  ＩＥを常に受信せずに、ＯＦＤＭＡフレーム中のスティッキー領域ＤＬデータバーストの位置を断続的に特定し、復号することができる。スティッキー領域割振りを変更または終了する場合でも、移動局にこれらのアクションを実行するように命令するＤＬ−ＭＡＰ  ＩＥは、従来のＤＬ−ＭＡＰ  ＩＥよりもかなり短くできる。このようにして、このＤＬデータバーストを含む１つ１つのＯＦＤＭＡフレーム中でこのＤＬデータバーストのためのＤＬ−ＭＡＰ  ＩＥを反復する必要はない。したがって、基地局が送信するＤＬ−ＭＡＰ４１４のサイズを低減することができ、ワイヤレス通信効率およびパフォーマンスを向上するために、データトラフィックのために使用することができるフレームリソースを解放することができる。ＤＬ−ＭＡＰは上述のように最も低い符号化レートで送信されるので、ＤＬ−ＭＡＰ４１４のサイズの小さい低減でも、データトラフィックのための利用可能リソースへの有意な影響を有することができる。
【００８０】
例示的なＵＬ−ＭＡＰおよび例示的なＵＬ−ＭＡＰ  ＩＥ
図４ＡのＵＬ−ＭＡＰ４１６を、図１０Ａにより詳細に示す。ＵＬ−ＭＡＰ４１６は、制御メッセージがＵＬ−ＭＡＰであることを示すために３（００００００１１ｂ）の値を有する、８ビットの長さを有する管理メッセージタイプ１００２で開始することができる。管理メッセージタイプ１００２の後に、予約済みフィールド１００４中の８ビットが続くことができる。予約済みフィールド１００４の後に、８ビットの長さを有し、ＵＣＤ構成変更カウント値に一致するアップリンクチャネル記述子（ＵＣＤ）カウント１００６が続くことができる。ＵＣＤメッセージは、変調タイプ、前方誤り訂正（ＦＥＣ）符号タイプなどを含む、アップリンクに割り振られた各バースト期間に適用される物理層および媒体アクセス制御（ＭＡＣ）層に関連するパラメータを指す。ＵＣＤカウント１００６の後に、３２ビットの長さを有する割振り開始時間１００８と、ＵＬサブフレーム４０４中のＯＦＤＭＡシンボルの数を示し、８ビットの長さを有するシンボルの数フィールド１０１０とが続くことができる。
【００８１】
可変長さを有するいくつか（ｎ個）のＵＬ−ＭＡＰ情報要素（ＩＥ）１０１２は、シンボルの数フィールド１０１０の後に続くことができる。一般的なＵＬ−ＭＡＰ  ＩＥ１０１２は、接続識別子（ＣＩＤ）とアップリンク間隔使用符号（ＵＩＵＣ）とを備えることができ、アップリンク送信を定義するために使用できる。図１０Ａには示されていないが、ＵＬ−ＭＡＰ４１６のいくつかの実施形態は、ＵＬ−ＭＡＰ４１６のバイト境界に達するために、４ビットの長さを有するパディングを含むことができる。
【００８２】
次に図１１を参照すると、ＵＬ−ＭＡＰ  ＩＥ１０１２は、１６ビットの長さを有するＣＩＤ１１０２を備えることができる。ＣＩＤ１１０２の後に、たとえば、図１１中のＯＦＤＭＡ  ＵＩＵＣ値のテーブルに従って各ＣＩＤ１１０２の使用を判断するＵＩＵＣ１１０４が続くことができる。ＵＬ−ＭＡＰ  ＩＥ１０１２は、４ビットの長さを有するＵＩＵＣ１１０４に応じて様々な長さを有することができる。
【００８３】
両端を含む１から１０までのＵＩＵＣ１１０４を有するＵＬ−ＭＡＰ  ＩＥ１１００Ａでは、ＵＬバーストプロファイル（たとえば、変調および符号化方式）を示すことができる。図１１に示すように、ＵＩＵＣ１１０４の後に、１０ビットの長さを有する持続期間１１０６が続くことができる。ＯＦＤＭＡスロットの単位を有する、持続期間１１０６の後に、２ビットの長さを有する反復符号化指示１１０８が続くことができる。反復符号化指示１１０８は、反復符号化を示す様々な２ビット値を有することができ、００ｂは反復符号化なしを示し、０１ｂは２回の反復符号化が使用されることを示し、１０ｂは４回の反復符号化が使用されることを示し、１１ｂは６回の反復符号化が使用されることを示す。いくつかのＵＬ−ＭＡＰ  ＩＥ１１００Ａでは、適応アンテナシステム（ＡＡＳ）またはＡＭＣ  ＵＬゾーンが使用された場合、反復符号化指示１１０８の後に１２ビットの長さを有するスロットオフセット１１１０が続くことができる。
【００８４】
ＵＬ−ＭＡＰ拡張２ＩＥ１１００Ｂは、図１１に示すように１１に等しいＵＩＵＣ１１０４を有することができる。ＵＬ−ＭＡＰ拡張２ＩＥ１１００Ｂでは、ＵＩＵＣ１１０４の後に、４ビットの長さを有する拡張２ＵＩＵＣと、８ビットの長さを有する長さフィールドと、長さフィールドに従って変動する長さを有するデータフィールドとを含むことができる拡張２情報要素１１１２が続くことができる。したがって、ＵＬ−ＭＡＰ拡張２ＩＥ１１００Ｂは、３２ビット＋長さフィールド中の値の長さを有することができる。
【００８５】
ＵＬ−ＭＡＰ拡張ＩＥ１１００Ｃは、図１１に示すように１５に等しいＵＩＵＣ１１０４を有することができる。ＵＬ−ＭＡＰ拡張ＩＥ１１００Ｃでは、ＵＩＵＣ１１０４の後に、４ビットの長さを有する拡張ＵＩＵＣと、４ビットの長さを有する長さフィールドと、長さフィールドに従って変動する長さを有するデータフィールドとを含むことができる拡張情報要素１１１４が続くことができる。したがって、ＵＬ−ＭＡＰ拡張ＩＥ１１００Ｃは、２８ビット＋長さフィールド中の値の長さを有することができる。
【００８６】
１３に等しいＵＩＵＣ１１０４は、図１１に示すように、ＰＡＰＲ低減およびセーフティゾーンのためのＵＬ−ＭＡＰ  ＩＥ１１００Ｄを示すことができる。そのようなＵＬ−ＭＡＰ  ＩＥ１１００Ｄでは、ＵＩＵＣ１１０４の後に、３２ビットの長さを有するＰＡＰＲ＿Ｒｅｄｕｃｔｉｏｎ＿Ｓａｆｅｔｙ＿Ｓｏｕｎｄｉｎｇ＿Ｚｏｎｅ＿Ａｌｌｏｃａｔｉｏｎ＿ＩＥ１１１６が続くことができる。したがって、ＵＩＵＣ＝１３のＵＬ−ＭＡＰ  ＩＥ１１００Ｄは、５２ビットの長さを有することができる。０に等しいＵＩＵＣ１１０４は、チャネル品質指示（ＣＱＩ）のためのＵＬゾーンを与える高速フィードバックチャネルのためのＵＬ−ＭＡＰ  ＩＥを示すことができる。さらに、１２に等しいＵＩＵＣ１１０４は、ＵＬゾーン中の符号分割多元接続（ＣＤＭＡ）レンジングおよび帯域幅要求のためのＵＬ−ＭＡＰを示すことができる。ＵＩＵＣ１１０４に続くデータはＵＩＵＣ＝０または１２のＵＬ−ＭＡＰ  ＩＥ中の３２ビットの長さを有することもできるので、そのようなＵＩＵＣ＝０または１２のＵＬ−ＭＡＰ  ＩＥはＵＩＵＣ＝１３のＵＬ−ＭＡＰ  ＩＥ１１００Ｄと同様のフォーマットを有することができ、したがって、５２ビットの長さを有することもできる。
【００８７】
１４に等しいＵＩＵＣ１１０４は、図１１に示すように、ＣＤＭＡ割振りのためのＵＬ−ＭＡＰ  ＩＥ１１００Ｅを示すことができる。そのようなＵＬ−ＭＡＰ  ＩＥ１１００Ｅでは、ＵＩＵＣ１１０４の後に、４０ビットの長さを有するＣＤＭＡ＿Ａｌｌｏｃａｔｉｏｎ＿ＩＥ１１１８が続くことができる。したがって、ＵＩＵＣ＝１４のＵＬ−ＭＡＰ  ＩＥ１１００Ｄは、６０ビットの長さを有することができる。
【００８８】
スティッキー領域割振りのための例示的なＵＬ−ＭＡＰ  ＩＥ
データトラフィックのためにより多くのフレームリソースを使用することができるように、後続のフレーム中のＵＬ−ＭＡＰ４１６のサイズを低減するために、図１２Ａ〜図１２Ｃに、スティッキー領域割振りのための例示的なＵＬ−ＭＡＰ  ＩＥを示す。図１２Ａに、移動局から基地局に送信されるＵＬデータバーストを符号化し、その位置を特定するための割り振られたスティッキー領域をその特定の移動局に通知するために使用できる例示的な割振り開始ＵＬ−ＭＡＰ  ＩＥ１２００を示す。図１２Ａ中の割振り開始ＵＬ−ＭＡＰ  ＩＥ１２００は、１１に等しいＵＩＵＣ１１０４をもつＵＬ−ＭＡＰ拡張２ＩＥ１１００Ｂを使用しているが、１５に等しいＵＩＵＣ１１０４を有するＵＬ−ＭＡＰ拡張ＩＥ１１００Ｃなど、割振り開始ＵＬ−ＭＡＰ  ＩＥ中のすべての情報の組込みを可能にする任意の適切なＵＬ−ＭＡＰ  ＩＥ構造を使用することができる。割振り開始ＵＬ−ＭＡＰ  ＩＥ１２００のＵＩＵＣ１１０４の後に、たとえば、このＵＬ−ＭＡＰ  ＩＥがスティッキー領域割振りに関係することを示すため、およびＩＥ中の一連のビットの構造を搬送するために、９（１００１ｂ）に等しい値を有する拡張２ＵＩＵＣ１２０２が続くことができる。９に等しい拡張２ＵＩＵＣ１２０２を図１２Ａに示すが、ＵＬ−ＭＡＰ  ＩＥの拡張タイプ用か拡張２タイプ用かにかかわらず、別のタイプのＩＥを指定しない任意の適切な値を選択することができる。拡張２ＵＩＵＣ１２０２の後に、上述のように長さフィールド１２０４が続くことができる。
【００８９】
長さフィールド１２０４とスティッキー領域割振りのための制御のタイプを指定するために、３つの主要なカテゴリー、すなわち割振りの開始と、割振りの変更と、割振りの終了とに分割することができるタイプフィールド１２０６の後に、割振り開始ＤＬ−ＭＡＰ  ＩＥ１２００が続くことができる。１に等しいタイプフィールド１２０６は、たとえば、スティッキー領域割振りＵＬ−ＭＡＰ  ＩＥが図示のように割振り開始ＵＬ−ＭＡＰ  ＩＥ１２００であることを示すことができる。タイプフィールド１２０６の後に、スティッキー領域の所有者移動局を指定するための接続識別子（ＣＩＤ）１２０８が続くことができ、ＣＩＤ１２０８の後にスティッキー領域を識別するための割振りＩＤ１２１０が続くことができる。より短い割振りＩＤ１２１０を導入することによって、スティッキー領域割振りを変更または終了する後続のＵＬ−ＭＡＰ  ＩＥ中でより長いＣＩＤ１２０８を使用する必要はなく、それによって、このスティッキー領域のためのＵＬ−ＭＡＰ  ＩＥを有する後続のフレーム中のＵＬ−ＭＡＰ４１６のサイズをさらに低減する。
【００９０】
割振り開始ＵＬ−ＭＡＰ  ＩＥ１２００では、何かが変化しない限りＭＳがスティッキー領域中にＵＬデータバーストの位置を特定し、符号化するために任意の追加情報を必要としないように、割振りＩＤ１２１０の後に、スティッキー領域をセットアップし、移動局に十分な情報を与える際に有用と考えられるあらゆる構成要素が続くことができる。これらの構成要素の順序を再構成することができ、これらの構成要素の様々な組合せをスティッキー領域割振りのために使用することができる。たとえば、割振りＩＤ１２１０の後に、ＵＬデータバーストを符号化し、送信するために変調および符号化方式を指定することができるＵＩＵＣ１２１２が続くことができる。
【００９１】
図１２Ａに示すように、ＵＩＵＣ１２１２の後に、スティッキー領域について説明するための様々なフィールドを含むことができる領域情報１２１３が続くことができる。たとえば、領域情報１２１３は、たとえば、スティッキー領域（すなわちＯＦＤＭＡフレーム中の割り振られたＵＬデータバースト）の開始の位置をスロット単位で特定するために使用できるスロットオフセット１２１４を含むことができる。スロットオフセット１２１４の後に、たとえば、スティッキー領域のサイズをスロット単位で指定するために使用できるスロット持続期間１２１６が続くことができる。スロット持続期間１２１６の後に、ＵＬデータバーストを符号化するために使用される反復符号化（たとえば、反復なし、２回、４回、または６回）を示すことができる反復符号化タイプ１２１８が続くことができる。反復符号化タイプ１２１８は、領域情報１２１３中の最後のフィールドとすることができる。
【００９２】
領域情報１２１３の後に、符号化するＣＩＤ１２０８中に記載される（１つまたは複数の）移動局のためのＵＬデータバーストが符号化されるように、スティッキー領域がどのＯＦＤＭ／ＯＦＤＭＡフレーム中に最初に現れるかを示すことができる開始フレーム番号１２２０が続くことができる。開始フレーム番号１２２０の後に、スティッキー領域割振り期間中の一連の受信フレーム全体にわたってＵＬスティッキー領域書込みの頻度を指定することができる割振り間隔１２２２が続くことができる。割振り間隔１２２２の後に、スティッキー領域割振りの終了を示すことができ、スティッキー領域が最後に使用されるＯＦＤＭ／ＯＦＤＭＡフレームを指定することができる終了フレーム番号１２２４が続くことができる。いくつかの実施形態の場合、終了フレーム番号１２２４は、スティッキー領域が割振り間隔１２２２に従って使用されない最初のＯＦＤＭ／ＯＦＤＭＡフレームまたはスティッキー領域の最後の使用を含むフレームの直後のフレームを指定することができる。スティッキー領域割振りを終了するために別のタイプのＵＬ−ＭＡＰ  ＩＥを使用することができるので、いくつかの実施形態は、振り開始ＵＬ−ＭＡＰ  ＩＥ１２００中にパラメータとして終了フレーム番号１２２４を含まないことがある。
【００９３】
終了フレーム番号１２２４の後に、移動局が、スティッキー領域割振りの確認応答を基地局にどのように与えるべきかを指定することができる確認応答（ＡＣＫ）領域情報１２２６が続くことができる。ＭＳからＡＣＫを受信した後、ＢＳは、スティッキー領域割振りを開始し、それに応じて送信を開始することができる。ＢＳがＡＣＫを受信しない場合、ＢＳは割振り開始ＵＬ−ＭＡＰ  ＩＥ１２００を再送信することができる。
【００９４】
次に図１２Ｂを参照すると、割振り開始ＵＬ−ＭＡＰ  ＩＥ１２００によって割り振られたスティッキー領域のパラメータの任意のパラメータまたは組合せは、任意の後続のフレーム中で割振り変更ＵＬ−ＭＡＰ  ＩＥに従って変更できる。しかしながら、スティッキー領域割振りを割振りの開始からその終了まで調整する要がない場合、スティッキー領域のいくつかのインスタンスは割振り変更ＵＬ−ＭＡＰ  ＩＥを使用しないことがある。
【００９５】
スティッキー領域割振りを変更するための１つの例示的なＵＬ−ＭＡＰ  ＩＥは、スティッキー領域割振りのすべての可能なパラメータを更新することができる割振り変更ＵＬ−ＭＡＰ  ＩＥ１２５０である。割振り変更ＵＬ−ＭＡＰ  ＩＥ１２５０は、たとえば、変更されるスティッキー領域のパラメータを示すために、２に等しいタイプフィールド１２０６を有することができる。いくつかの実施形態の場合、タイプフィールド１２０６に従ってすべてのパラメータを含むことができるが、１つまたは複数の特定のパラメータ内に含まれる値はそれらの特定のパラメータのうちの１つまたは複数を含んでいる割振り開始ＵＬ−ＭＡＰ  ＩＥまたは前の割振り変更ＵＬ−ＭＡＰ  ＩＥからそのまま残ることができる。したがって、割振り変更ＵＬ−ＭＡＰ  ＩＥ１２５０は、図１２Ｂに示すように、（割り振られたスティッキー領域に対応する移動局が変化してはならず、より短い割振りＩＤ１２０８によって表されるので）ＣＩＤ１２００と（これらのフレーム番号は割り振られたスティッキー領域に関して変化してはならないので）開始フレーム番号１２２０および終了フレーム番号１２２４とを除いて、割振り開始ＵＬ−ＭＡＰ  ＩＥ１２１０からのすべてのパラメータを含むことができる。
【００９６】
この場合も、割振り変更ＵＬ−ＭＡＰ  ＩＥ１２５０は、移動局が、変更されたスティッキー領域割振りの確認応答を基地局にどのように与えるべきかを指定するために、ＡＣＫ領域情報１２２６を含むことができる。上述のようにＢＳがＡＣＫを受信しない場合、ＢＳは割振り変更ＵＬ−ＭＡＰ  ＩＥ１２５０を再送信することができる。
【００９７】
割振り変更ＵＬ−ＭＡＰ  ＩＥ１２５０はスティッキー領域のパラメータの任意のパラメータまたは組合せを変更するために使用できるが、本開示の実施形態の目的はＵＬ−ＭＡＰ４１６などの制御オーバーヘッドのサイズを低減することである。したがって、タイプフィールド１２０６に従ってパラメータのいくつかのパラメータまたは組合せを変更するために、他のより短い割振り変更ＵＬ−ＭＡＰ  ＩＥを使用することができる。たとえば、図１２Ｂの割振り変更ＵＬ−ＭＡＰ  ＩＥ１２６０は、たとえば、スティッキー領域のＵＩＵＣ１２０６だけが変更されることを示すために、３に等しいタイプフィールド１２１２を有することができる。ＵＩＵＣ１１０４、拡張２ＵＩＵＣ１２０２、長さフィールド１２０４、タイプフィールド１２０６、割振りＩＤ１２１０、スティッキー領域のＵＩＵＣ１２１２だけを含めることによって、割振り変更ＵＬ−ＭＡＰ  ＩＥ１２６０は、割振り開始ＵＬ−ＭＡＰ  ＩＥ１２００またはＵＬデータバーストの位置を特定し、符号化するためのすべての情報を含む従来のＵＬ−ＭＡＰ  ＩＥよりもかなり短い。
【００９８】
図１２Ｂに、割振り変更ＵＬ−ＭＡＰ  ＩＥのさらに別の例を示す。短い割振り変更ＵＬ−ＭＡＰ  ＩＥ１２６０と同様の例、割振り変更ＵＬ−ＭＡＰ  ＩＥ１２７０は、たとえば、スティッキー領域の割振り間隔１２２２だけが変更されることを示すために、４に等しいタイプフィールド１２０６を有することができる。
【００９９】
図１２Ｃに、スティッキー領域割振りを終了するための割振り終了ＵＬ−ＭＡＰ  ＩＥ１２９０を示す。たとえば、スティッキー領域が終了し、割振りＩＤ１２０６がキャンセルされ、特定のスティッキー領域に関連しなくなることを示すために、割振り終了ＵＬ−ＭＡＰ  ＩＥ１２９０は０に等しいタイプフィールド１２１０を有することができる。スティッキー領域割振りがいつ終了するかを示すために割振り開始ＵＬ−ＭＡＰ  ＩＥ１２００中の終了フレーム番号１２２４を使用することができるので、いくつかの実施形態は割振り終了ＵＬ−ＭＡＰ  ＩＥ１２９０を採用しないことがある。他の実施形態の場合、最初に終了フレーム番号１２２４によって提案されたよりも前にスティッキー領域割振りを終了するために、割振り終了ＵＬ−ＭＡＰ  ＩＥ１２９０を使用することができる。いくつかの実施形態の場合、移動局が、割り振られたＵＬスティッキー領域の一部分中の、またはそれと重なるＵＬデータバーストを指す非スティッキー領域ＵＬ−ＭＡＰ  ＩＥを復号する場合、移動局は、スティッキー領域割振りが終了したことを決定することができる。
【０１００】
図１２Ｃに示すように、割振り終了ＵＬ−ＭＡＰ  ＩＥ１２９０は、移動局が、終了したスティッキー領域割振りの確認応答を基地局にどのように与えるべきかを指定するために、ＡＣＫ領域情報１２２６を含むことができる。上述のようにＢＳがＡＣＫを受信しない場合、ＢＳは割振り終了ＵＬ−ＭＡＰ  ＩＥ１２９０を再送信することができる。
【０１０１】
ＵＬスティッキー領域が割り振られると、スティッキー領域割振りを変更または終了しない限り、基地局によって後続のＯＦＤＭＡフレーム中で送信されるＵＬ−ＭＡＰ４１６から対応するＵＬ−ＭＡＰ  ＩＥを省略することができる。このＵＬ−ＭＡＰ  ＩＥが除去されると、各ＵＬ−ＭＡＰ  ＩＥはＵＬデータバーストの開始のための絶対位置（すなわち、開始シンボルおよび開始サブチャネル）を含まないので、ＵＬスティッキー領域に続く任意のＵＬバースト領域を正しく指定することはできない。現在のＩＥＥＥ  ８０２．１６ｘ規格に従う代わりに、移動局は、一般に、開始点を得るために、そのＵＬデータバースト領域の前のすべてのＵＬ−ＭＡＰ  ＩＥの持続期間を調べるので、スティッキー領域のためのなくなっているＵＬ−ＭＡＰ  ＩＥは、ＵＬサブフレーム４０４中の後続のＵＬデータバーストの不正確なシンボル／サブチャネル位置決めをもたらす可能性が最も高くなることがある。
【０１０２】
なくなっているスティッキー領域ＵＬ−ＭＡＰ  ＩＥを訂正するために、いくつかの実施形態の場合、ＵＬ＿Ａｌｌｏｃａｔｉｏｎ＿Ｓｔａｒｔ＿ＩＥを使用してＵＬデータバーストの開始のための絶対位置を指定することができる。ＵＬ＿Ａｌｌｏｃａｔｉｏｎ＿Ｓｔａｒｔ＿ＩＥは通常のＵＬデータバーストＩＥよりもはるかに短いので、依然としてＵＬ−ＭＡＰサイズ低減が達成される。この方法は、スティッキー領域割振り機能がない移動局に対する互換性を破壊しない。
【０１０３】
いくつかの実施形態では、さらなるＵＬ−ＭＡＰサイズ低減のために、図１０Ｂに示す提案されたＵＬ−ＭＡＰ４１６’に、シンボルの数フィールド１０１０の後、そして第１のＵＬ−ＭＡＰ  ＩＥ１０１２１の前に開始スロットオフセット１０１４を導入することができる。この方式は、割り振られた（１つまたは複数の）スティッキー領域がＵＬサブフレーム４０４中の非スティッキー領域ＵＬデータバーストの前に配置されると仮定する。開始スロットオフセット１０１４は、長さが数ビット（たとえば、８ビット）にすぎず、依然として従来のＵＬ−ＭＡＰ  ＩＥよりもかなり短いので、依然としてスティッキー領域割振りでＯＦＤＭＡ制御オーバーヘッドを低減することができる。新しいＵＬ−ＭＡＰ４１６’中の開始スロットオフセット１０１４では、非スティッキー領域ＵＬデータバーストを送信している移動局は、開始スロットオフセット１０１４とそのＵＬデータバースト領域の前のすべてのＵＬ−ＭＡＰ  ＩＥの持続期間を使用して、その指定された開始スロットを正しく得ることができる。このようにして、開始スロットオフセット１０１４は、スティッキー領域ＵＬデータバーストを、スティッキー領域に関する情報を有しない移動局による上書きから保護することができる。したがって、本明細書で説明するＵＬスティッキー領域割振りの実装形態は、提案されたＵＬ−ＭＡＰ４１６’を送信する基地局と、ＵＬスティッキー領域割振りをサポートし、開始スロットオフセット１０１４を解釈することができる移動局とを指すことができる。
【０１０４】
スティッキー領域割振りのためのＵＬ−ＭＡＰ  ＩＥを解釈するための例示的な方法
図１３は、図１２Ａ〜図１２ＣのＵＬ−ＭＡＰ  ＩＥなど、スティッキー領域割振りのためのＵＬ−ＭＡＰ  ＩＥを解釈するための例示的な動作１３００のフローチャートである。動作１３００は、１３０２において、ＯＦＤＭ／ＯＦＤＭＡフレーム４００のＵＬ−ＭＡＰ４１６中のＵＬ−ＭＡＰ  ＩＥ１０１２を受信することによって開始する。１３０４において、ＵＩＵＣ１１０４および場合によっては拡張２ＵＩＵＣ１２０２（またはいくつかの実施形態では拡張ＵＩＵＣ）を読み取る。
【０１０５】
１３０６において、ＵＩＵＣ値がスティッキー領域割振りを示さない場合、ＵＬ−ＭＡＰ  ＩＥは従来どおりＵＩＵＣ１１０４に基づいて解釈され、これは動作１３００の範囲外であり、動作１３００は、１３０２において同じフレームまたは異なるフレームからの新しいＵＬ−ＭＡＰ  ＩＥで開始して反復する。すべての移動局がスティッキー領域割振り、特に競合者の製品をサポートすることができるわけではないことは、ここで言及する価値がある。そのような場合、スティッキー領域割振りをサポートする基地局は、後方互換性があり、従来行われていたように、スティッキー領域割振りをサポートしない移動局の各々について各ＯＦＤＭ／ＯＦＤＭＡフレーム中で１つのＵＬ−ＭＡＰ  ＩＥを送信することができる。基地局は、このオーバーヘッド低減技法をサポートする移動局についてスティッキー領域割振りを使用し続けることができる。
【０１０６】
しかしながら、１３０６においてＵＩＵＣ値がスティッキー領域割振りを示す（たとえば、ＵＩＵＣ１１０４が１１に等しく、拡張２ＵＩＵＣ６６２が９に等しい）場合、１３０８において長さフィールド（たとえば、長さフィールド１２０４）から長さ値を読み取る。１３１０において、長さ値に従ってスティッキー領域ＵＬ−ＭＡＰ  ＩＥの残りの部分を読み取る。スティッキー領域ＵＬ−ＭＡＰ  ＩＥの残りの部分は、上述のようにタイプフィールド１２０６と割振りＩＤ１２１０とを含むことができる。１３１２において、タイプフィールド１２０６とスティッキー領域ＵＬ−ＭＡＰ  ＩＥの残りの部分中の任意のスティッキー領域パラメータとに基づいて、割振りＩＤ１２１０によって識別されたスティッキー領域割振りのためのアクションを実行する（たとえば、スティッキー領域割振りを開始するか、または割り振られたスティッキー領域のいくつかのパラメータを変更する）。動作１３００は、１３０２において同じフレームまたは異なるフレームからの新しいＵＬ−ＭＡＰ  ＩＥで開始して反復する。
【０１０７】
スティッキー領域割振りのためのＵＬ−ＭＡＰ  ＩＥを使用して動作する例示的な方法
スティッキー領域割振りのためのＵＬ−ＭＡＰ  ＩＥを解釈する方法について説明したので、図１４に、移動局（ＭＳ）の観点から、複数のＯＦＤＭＡフレームを受信し、スティッキー領域割振りのためのＵＬ−ＭＡＰ  ＩＥを使用してＵＬデータバーストを符号化するための例示的な動作１４００のフローチャートを示す（基地局が受信のための信号を送信していると仮定する）。図１４の動作１４００は、動作が開始する前にスティッキー領域がまだ割り振られていないと仮定しており、ＵＬデータバーストの位置を特定し、符号化するために従来のＵＬ−ＭＡＰ  ＩＥを読み取ることには関係しない。本明細書で使用する「ＵＬデータバーストの位置を特定すること」は、一般にＵＬデータバーストを配置するためにＵＬサブフレーム４０４中の時間／周波数位置を判断することを指す。さらに、動作１４００は、明快のために単一のスティッキー領域のみに関係するが、複数のスティッキー領域を異なる開始フレーム番号および終了フレーム番号で割り振ることができる。
【０１０８】
動作１４００は、１４０２において、ＯＦＤＭＡフレームのＵＬ−ＭＡＰ４１６中のＵＬ−ＭＡＰ  ＩＥ１０１２を受信することによって開始する。１４０４においてＵＬ−ＭＡＰ  ＩＥ１０１２が割振り開始メッセージを含まない場合、動作１４００は、１４０２において、同じフレームまたは異なるフレームからの新しいＵＬ−ＭＡＰ  ＩＥで開始して反復する。しかしながら、１４０４においてＵＬ−ＭＡＰ  ＩＥ１０１２が割振り開始メッセージ（たとえば割振り開始ＵＬ−ＭＡＰ  ＩＥ１２００）を含む場合、１４０５において、割振り開始メッセージに従ってＵＬスティッキー領域を割り振る。
【０１０９】
１４０６において、新しいＵＬ−ＭＡＰ４１６をもつ新しいＯＦＤＭＡフレームを受信する。１４０８において、新しいＵＬ−ＭＡＰがＵＬ−ＭＡＰ  ＩＥのいずれか中に割振り終了メッセージ（たとえば、割振り終了ＵＬ−ＭＡＰ  ＩＥ１２９０）を含む場合、１４０５において割り振られたスティッキー領域は、１４１０において、たとえば割振りＩＤ１２１０に従って終了し、動作１４００は、１４０２において同じフレームまたは異なるフレームからの新しいＵＬ−ＭＡＰ  ＩＥで開始して反復する。
【０１１０】
しかしながら、１４０８において、ＵＬ−ＭＡＰが、割り振られたスティッキー領域のための割振り終了メッセージを含まない場合、１４１２において、移動局はＵＬ−ＭＡＰがＵＬ−ＭＡＰ  ＩＥのいずれか中に割振り変更メッセージを含むかどうかを判断する。ＵＬ−ＭＡＰが割振り変更メッセージ（たとえば、割振り変更ＵＬ−ＭＡＰ  ＩＥ１２５０、１２６０、１２７０）を含む場合、たとえば、割振りＩＤ１２１０によって識別されたスティッキー領域のパラメータを割振り変更メッセージに従って更新する。
【０１１１】
１４１２においてＵＬ−ＭＡＰが割振り変更メッセージを含んでいたかどうかにかかわらず、１４１６において、移動局は、現在のＯＦＤＭＡフレーム中にスティッキー領域ＵＬデータバーストを含める（すなわち、書き込む）べきかどうかを判断する。これは、最新の割振り間隔１２２２に基づいて判断され、いくつかの実施形態の場合、割振り間隔１２２０が変更されても、開始フレーム番号１２２２に依存する。割り振られたスティッキー領域のためのＵＬデータバーストをこのフレーム中に含めるべきでない場合、動作１４００は、１４０６において別の新しいＯＦＤＭＡフレームで開始して反復する。スティッキー領域ＵＬデータバーストが現在のフレーム中に含めるべきである場合、１４１８において、最新のスティッキー領域パラメータからの制御情報を使用してＵＬデータバーストを符号化し、そのうちのいくつかは割振りの開始時に初期化され、他のパラメータは基地局と移動局との間のワイヤレス通信中に変更される。その後、移動局から基地局にＵＬデータバーストを送信する。１４１８においてスティッキー領域ＵＬデータバーストを符号化した後、次いで、動作１４００は、１４０６において別の新しいＯＦＤＭＡフレームで開始して反復する。
【０１１２】
動作１４００においてスティッキー領域が割り振られると、移動局は、その特定のスティッキー領域ＵＬデータバーストに対応する別のＵＬ−ＭＡＰ  ＩＥを常に受信せずに、ＵＬサブフレーム４０４中の割り振られたシンボル／サブチャネル位置におけるスティッキー領域ＵＬデータバーストを断続的に符号化することができる。スティッキー領域割振りを変更または終了する場合でも、移動局にこれらのアクションを実行するように命令するＵＬ−ＭＡＰ  ＩＥは、従来のＵＬ−ＭＡＰ  ＩＥよりもかなり短くできる。このようにして、このＵＬデータバーストを含む１つ１つのＯＦＤＭＡフレーム中でこのＵＬデータバーストのためのＵＬ−ＭＡＰ  ＩＥを反復する必要はない。したがって、基地局が送信するＵＬ−ＭＡＰ４１６のサイズを低減することができ、ワイヤレス通信効率およびパフォーマンスを向上するために、データトラフィックのために使用することができるフレームリソースを解放することができる。
【０１１３】
スティッキー領域割振りの例示的な大要
図１５に、スティッキー領域割振りに従って対応するデータバーストの位置を特定するためのＭＡＰ  ＩＥありおよびなしのＯＦＤＭＡフレームを送信するための例示的な動作１５００の流れ図を示す。本動作は、１５０２において、開始ＯＦＤＭＡフレーム中のＤＬデータバーストのための割振り開始ＤＬ−ＭＡＰ  ＩＥ７００、またはＵＬデータバーストのための割振り開始ＵＬ−ＭＡＰ  ＩＥ１２００など、データ領域の位置を特定するためのＭＡＰ  ＩＥを有する、たとえば、開始フレーム番号７２４、１２２０に従って第１のフレームまたは後続のＯＦＤＭＡフレームとすることができる第１のＯＦＤＭＡフレームに基づく第１の信号を送信することによって開始する。１５０４において、第２のＯＦＤＭＡフレームに基づく第２の信号を送信し、第２の信号は、第２のＯＦＤＭＡフレーム内のデータバーストの位置を特定するためのＭＡＰ  ＩＥを有しない。基地局は、たとえば、第１および第２の信号を送信することができる。
【０１１４】
従来、ＯＦＤＭＡフレーム中の各データバーストは、対応するＭＡＰ  ＩＥを有する。対応するデータバーストの位置を特定するための１つまたは複数のＭＡＰ  ＩＥなしのＯＦＤＭＡフレームに基づく信号を送信することができることの利点は、ＤＬ−ＭＡＰおよび／またはＵＬ−ＭＡＰのサイズが減少することである。制御オーバーヘッドを低減すると、データスループットを増加させることができる。
【０１１５】
上記の図１５の動作１５００は、図１５Ａに示すミーンズプラスファンクションブロック１５００Ａに対応する様々なハードウェア、および／または（１つまたは複数の）ソフトウェア構成要素、および／または（１つまたは複数の）モジュールによって実行される。言い換えれば、図１５に示すブロック１５０２〜１５０４は、図１５Ａに示すミーンズプラスファンクションブロック１５０２Ａ〜１５０４Ａに対応する。
【０１１６】
図１６に、ＯＦＤＭＡフレームを受信し、ＭＡＰ  ＩＥありおよびなしで対応するデータバーストの位置を特定するための例示的な動作１６００の流れ図を示す。この場合も、「位置を特定すること」は、ＤＬデータバーストで使用されたときはＤＬサブフレーム４０２内でＤＬデータバーストの位置を発見することを意味すると見なすことができ、ＵＬバーストで使用されたときはＵＬデータバーストを配置するためのＵＬサブフレーム４０４中の位置を判断することを意味すると見なすことができる。
【０１１７】
本動作は、１６０２において、第１のＯＦＤＭＡフレームに基づく第１の信号を受信することによって開始する。受信機は、移動局などのユーザ端末とすることができる。１６０４において、ＤＬデータバーストのための割振り開始ＤＬ−ＭＡＰ  ＩＥ７００またはＵＬデータバーストのための割振り開始ＵＬ−ＭＡＰ  ＩＥ１２００などの第１のＭＡＰ  ＩＥに従って、第１のＯＦＤＭＡフレーム中のＤＬまたはＵＬデータバーストなどのデータ領域の位置を特定する。第１のＭＡＰ  ＩＥは、第１のＯＦＤＭＡフレームから、または、以前に受信されたＯＦＤＭＡフレームから復号されている。
【０１１８】
１６０６において、第２のＯＦＤＭＡフレームに基づいて第２の信号を受信する。１６０８において、第２のＭＡＰ  ＩＥを使用せずに第２のＯＦＤＭＡフレーム中のデータ領域の位置を特定する。言い換えれば、スティッキー領域ＭＡＰ  ＩＥとすることができる第１のＭＡＰ  ＩＥに基づいてデータ領域の位置を特定することができる。従来、ユーザ端末は、第２のＯＦＤＭＡフレーム中のデータ領域の位置を特定するために第２のＭＡＰ  ＩＥを必要とした。
【０１１９】
上記の図１６の動作１６００は、図１６Ａに示すミーンズプラスファンクションブロック１６００Ａに対応する様々なハードウェア、および／または（１つまたは複数の）ソフトウェア構成要素、および／または（１つまたは複数の）モジュールによって実行される。言い換えれば、図１６に示すブロック１６０２〜１６０８は、図１６Ａに示すミーンズプラスファンクションブロック１６０２Ａ〜１６０８Ａに対応する。
【０１２０】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【０１２１】
情報および信号は、様々な異なる技術および技法のうちのいずれかを使用して表すことができる。たとえば、上記の説明全体にわたって言及されるデータ、命令、コマンド、情報、信号などは、電圧、電流、電磁波、磁界または磁性粒子、光場または光粒子、あるいはそれらの任意の組合せによって表すことができる。
【０１２２】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替形態では、プロセッサは、市販されているプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１２３】
本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【０１２４】
本明細書で開示する方法は、説明した方法を達成するための１つまたは複数のステップまたはアクションを備える。本方法のステップおよび／またはアクションは、特許請求の範囲の範囲から逸脱することなく互いに交換することができる。言い換えれば、ステップまたはアクションの特定の順序が指定されない限り、特定のステップおよび／またはアクションの順序および／または使用は特許請求の範囲から逸脱することなく変更できる。
【０１２５】
説明した機能は、ハードウェア、ソフトウェア、ファームウェア、またはそれらの組合せで実装できる。ソフトウェアで実装した場合、機能は１つまたは複数の命令としてコンピュータ可読媒体上に記憶できる。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【０１２６】
ソフトウェアまたは命令はまた、送信媒体を介して送信できる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１２７】
さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、そのようなデバイスは、本明細書に記載の方法を実行するための手段の転送を可能にするために、サーバに結合できる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピー（登録商標）ディスクなど物理記憶媒体など）によって提供できる。さらに、本明細書で説明する方法および技法をデバイスに与えるための任意の他の適切な技法を利用することができる。
【０１２８】
特許請求の範囲は、上記の正確な構成および構成要素に限定されないことを理解されたい。上記の方法および装置の構成、動作および詳細において、特許請求の範囲から逸脱することなく、様々な改変、変更および変形を行うことができる。
以下に、本願出願の当初の特許請求の範囲に記載された発明を付記する。
［１］第１の直交周波数分割多元接続（ＯＦＤＭＡ）フレームに基づく第１の信号を受信することと、
第１のＭＡＰ情報要素（ＩＥ）に従って前記第１のＯＦＤＭＡフレーム中のデータ領域の位置を特定することと、
第２のＯＦＤＭＡフレームに基づく第２の信号を受信することであって、前記第２の信号が前記第１の信号よりも後で受信される、受信することと、
第２のＭＡＰ  ＩＥを使用せずに前記第２のＯＦＤＭＡフレーム中の前記データ領域の位置を特定することと
を備える方法。
［２］前記データ領域がダウンリンク（ＤＬ）データ領域であり、前記第１のＭＡＰ  ＩＥがＤＬ−ＭＡＰ  ＩＥである、［１］に記載の方法。
［３］前記データ領域がアップリンク（ＵＬ）データ領域であり、前記第１のＭＡＰ  ＩＥがＵＬ−ＭＡＰ  ＩＥである、［１］に記載の方法。
［４］前記第２のＯＦＤＭＡフレームのためのアップリンクマップ（ＵＬ−ＭＡＰ）は、前記データ領域の位置が正しく特定されるように前記ＵＬ−ＭＡＰ中のすべてのＭＡＰ  ＩＥの前に現れる開始スロットオフセットを有する、［３］に記載の方法。
［５］前記第１のＭＡＰ  ＩＥが、前記第１および前記第２のＯＦＤＭＡフレーム内の前記データ領域の固定位置を判断するための領域情報を有するメッセージを含んでいる、［１］に記載の方法。
［６］前記領域情報が、シンボルオフセット、サブチャネルオフセット、シンボルの数、サブチャネルの数、ブースティングレベル、置換タイプ、および反復符号化タイプのうちの少なくとも１つを備える、［５］に記載の方法。
［７］前記領域情報が、スロットオフセット、スロット持続期間、および反復符号化タイプのうちの少なくとも１つを備える、［５］に記載の方法。
［８］前記メッセージが開始フレーム番号と割振り間隔とを備える、［５］に記載の方法。
［９］前記第２のフレームがいくつかのＯＦＤＭＡフレームとして前記割振り間隔に従って前記第１のフレーム後に受信されるように、前記第１のＯＦＤＭＡフレーム中の前記データ領域の位置を特定することが、前記開始フレーム番号と前記領域情報とを使用することを備え、前記第２のＯＦＤＭＡフレーム中の前記データ領域の位置を特定することが、前記第１のＭＡＰ  ＩＥの前記メッセージ中の前記割振り間隔と前記領域情報とを使用することを備える、［８］に記載の方法。
［１０］前記メッセージが、割振り識別子、終了フレーム番号、ダウンリンク間隔使用符号（ＤＩＵＣ）またはアップリンク間隔使用符号（ＵＩＵＣ）、および確認応答（ＡＣＫ）領域情報のうちの少なくとも１つを備える、［５］に記載の方法。
［１１］前記第１のＭＡＰ  ＩＥが前記第１のＯＦＤＭＡフレームからのものである、［１］に記載の方法。
［１２］前記第１のＭＡＰ  ＩＥを含んでいる第３のＯＦＤＭＡフレームに基づく第３の信号を受信することであって、前記第３の信号が前記第１の信号よりも前に受信される、受信することをさらに備える、［１］に記載の方法。
［１３］ワイヤレス通信のための受信機であって、
第１のＭＡＰ情報要素（ＩＥ）に従って、前記受信機によって受信された第１の信号の第１の直交周波数分割多元接続（ＯＦＤＭＡ）フレーム中のデータ領域の位置を特定するように構成され、第２のＭＡＰ  ＩＥを使用せずに、前記受信機によって受信された第２の信号の第２のＯＦＤＭＡフレーム中の前記データ領域の位置を特定するように構成された論理であって、前記第２の信号が前記第１の信号よりも後で受信される論理を備える受信機。
［１４］前記データ領域がダウンリンク（ＤＬ）データ領域であり、前記第１のＭＡＰ  ＩＥがＤＬ−ＭＡＰ  ＩＥである、［１３］に記載の受信機。
［１５］前記データ領域がアップリンク（ＵＬ）データ領域であり、前記第１のＭＡＰ  ＩＥがＵＬ−ＭＡＰ  ＩＥである、［１３］に記載の受信機。
［１６］前記第１のＭＡＰ  ＩＥが、
前記第１および前記第２のＯＦＤＭＡフレーム内の前記データ領域の固定位置を判断するための領域情報と、
開始フレーム番号と、
割振り間隔と
を備えるメッセージを含んでいる、［１３］に記載の受信機。
［１７］前記論理が、前記第１のＭＡＰ  ＩＥの前記メッセージ中の前記開始フレーム番号と前記領域情報とを使用することによって前記第１のＯＦＤＭＡフレーム中の前記データ領域の位置を特定するように構成され、前記割振り間隔と前記領域情報とを使用することによって前記第２のＯＦＤＭＡフレーム中の前記データ領域の位置を特定するように構成され、前記第２のフレームがいくつかのＯＦＤＭＡフレームとして、前記割振り間隔に従って前記第１のフレーム後に受信される、［１６］に記載の受信機。
［１８］前記第１のＭＡＰ  ＩＥが前記第１のＯＦＤＭＡフレームからのものである、［１３］に記載の受信機。
［１９］ワイヤレス通信のための装置であって、
第１の直交周波数分割多元接続（ＯＦＤＭＡ）フレームに基づく第１の信号を受信するための手段と、
第１のＭＡＰ情報要素（ＩＥ）に従って前記第１のＯＦＤＭＡフレーム中のデータ領域の位置を特定するための手段と、
第２のＯＦＤＭＡフレームに基づく第２の信号を受信するための手段であって、前記第２の信号が前記第１の信号よりも後で受信される、受信するための手段と、
第２のＭＡＰ  ＩＥを使用せずに前記第２のＯＦＤＭＡフレーム中の前記データ領域の位置を特定するための手段と
を備える装置。
［２０］前記データ領域がダウンリンク（ＤＬ）データ領域であり、前記第１のＭＡＰ  ＩＥがＤＬ−ＭＡＰ  ＩＥである、［１９］に記載の装置。
［２１］前記データ領域がアップリンク（ＵＬ）データ領域であり、前記第１のＭＡＰ  ＩＥがＵＬ−ＭＡＰ  ＩＥである、［１９］に記載の装置。
［２２］前記第１のＭＡＰ  ＩＥが、
前記第１および前記第２のＯＦＤＭＡフレーム内の前記データ領域の固定位置を判断するための領域情報と、
開始フレーム番号と、
割振り間隔と
を備えるメッセージを含んでいる、［１９］に記載の装置。
［２３］前記第１のＯＦＤＭＡフレーム中の前記データ領域の位置を特定するための前記手段が、前記開始フレーム番号と前記領域情報とを使用するように構成され、前記第２のＯＦＤＭＡフレーム中の前記データ領域の位置を特定するための前記手段が、前記第１のＭＡＰ  ＩＥの前記メッセージ中の前記割振り間隔と前記領域情報とを使用するように構成され、前記第２のフレームがいくつかのＯＦＤＭＡフレームとして、前記割振り間隔に従って前記第１のフレーム後に受信される、［２２］に記載の装置。
［２４］前記第１のＭＡＰ  ＩＥを含んでいる第３のＯＦＤＭＡフレームに基づく第３の信号を受信するための手段であって、前記第３の信号が前記第１の信号よりも前に受信される、受信するための手段をさらに備える、［１９］に記載の装置。
［２５］第１の直交周波数分割多元接続（ＯＦＤＭＡ）フレームに基づく第１の信号と第２のＯＦＤＭＡフレームに基づく第２の信号とを受信するための受信機フロントエンドであって、前記第２の信号が前記第１の信号よりも後で受信される受信機フロントエンドと、
第１のＭＡＰ情報要素（ＩＥ）に従って前記第１のＯＦＤＭＡフレーム中のデータ領域の位置を特定するように構成され、第２のＭＡＰ  ＩＥを使用せずに前記第２のＯＦＤＭＡフレーム中の前記データ領域の位置を特定するように構成された論理と
を備えるモバイルデバイス。
［２６］前記データ領域がダウンリンク（ＤＬ）データ領域であり、前記第１のＭＡＰ  ＩＥがＤＬ−ＭＡＰ  ＩＥである、［２５］に記載のモバイルデバイス。
［２７］前記データ領域がアップリンク（ＵＬ）データ領域であり、前記第１のＭＡＰ  ＩＥがＵＬ−ＭＡＰ  ＩＥである、［２５］に記載のモバイルデバイス。
［２８］複数の直交周波数分割多元接続（ＯＦＤＭＡ）フレーム中のデータ領域の位置を特定するためのプログラムであって、プロセッサによって実行されると、
第１のＯＦＤＭＡフレームに基づく第１の信号を受信することと、
第１のＭＡＰ情報要素（ＩＥ）に従って前記第１のＯＦＤＭＡフレーム中のデータ領域の位置を特定することと、
第２のＯＦＤＭＡフレームに基づく第２の信号を受信することであって、前記第２の信号が前記第１の信号よりも後で受信される、受信することと、
第２のＭＡＰ  ＩＥを使用せずに前記第２のＯＦＤＭＡフレーム中の前記データ領域の位置を特定することと
を備える動作を実行するプログラムを含んでいるコンピュータ可読媒体。
［２９］前記データ領域がダウンリンク（ＤＬ）データ領域であり、前記第１のＭＡＰ  ＩＥがＤＬ−ＭＡＰ  ＩＥである、［２８］に記載のコンピュータ可読媒体。
［３０］前記データ領域がアップリンク（ＵＬ）データ領域であり、前記第１のＭＡＰ  ＩＥがＵＬ−ＭＡＰ  ＩＥである、［２８］に記載のコンピュータ可読媒体。
［３１］前記第１のＭＡＰ  ＩＥが、
前記第１および前記第２のＯＦＤＭＡフレーム内の前記データ領域の固定位置を判断するための領域情報と、
開始フレーム番号と、
割振り間隔と
を備えるメッセージを含んでいる、［２８］に記載のコンピュータ可読媒体。
［３２］前記第２のフレームがいくつかのＯＦＤＭＡフレームとして前記割振り間隔に従って前記第１のフレーム後に受信されるように、前記第１のＯＦＤＭＡフレーム中の前記データ領域の位置を特定することが、前記開始フレーム番号と前記領域情報とを使用することを備え、前記第２のＯＦＤＭＡフレーム中の前記データ領域の位置を特定することが、前記第１のＭＡＰ  ＩＥの前記メッセージ中の前記割振り間隔と前記領域情報とを使用することを備える、［３１］に記載のコンピュータ可読媒体。
［３３］開始直交周波数分割多元接続（ＯＦＤＭＡ）フレーム中のデータ領域の位置を特定するためのＭＡＰ情報要素（ＩＥ）を有する第１のＯＦＤＭＡフレームに基づく第１の信号を送信することと、
第２のＯＦＤＭＡフレーム中の前記データ領域の位置を特定するためのＭＡＰ  ＩＥなしの、前記第２のＯＦＤＭＡフレームに基づく第２の信号を送信することであって、前記第２の信号が前記第１の信号および前記開始ＯＦＤＭＡフレームに基づく信号よりも後で送信される、送信することと
を備える方法。
［３４］前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、［３３］に記載の方法。
［３５］前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、［３３］に記載の方法。
［３６］前記第２のＯＦＤＭＡフレームのためのアップリンクマップ（ＵＬ−ＭＡＰ）は、前記データ領域の位置が正しく特定されるように前記ＵＬ−ＭＡＰ中のすべてのＭＡＰ  ＩＥの前に現れる開始スロットオフセットを有する、［３５］に記載の方法。
［３７］前記ＭＡＰ  ＩＥが、前記第１および前記第２のＯＦＤＭＡフレーム内の前記データ領域の固定位置を確立するための領域情報を有するメッセージを含んでいる、［３３］に記載の方法。
［３８］前記領域情報が、シンボルオフセット、サブチャネルオフセット、シンボルの数、サブチャネルの数、ブースティングレベル、置換タイプ、および反復符号化タイプのうちの少なくとも１つを備える、［３７］に記載の方法。
［３９］前記領域情報が、スロットオフセット、スロット持続期間、および反復符号化タイプのうちの少なくとも１つを備える、［３７］に記載の方法。
［４０］前記メッセージが開始フレーム番号と割振り間隔とを備える、［３７］に記載の方法。
［４１］前記開始ＯＦＤＭＡフレームに基づく前記信号が前記開始フレーム番号に従って送信され、前記第２のＯＦＤＭＡフレームに基づく前記第２の信号がいくつかのＯＦＤＭＡフレームとして、前記ＭＡＰ  ＩＥの前記メッセージ中の前記割振り間隔に従って、前記開始ＯＦＤＭＡフレームに基づく前記信号後に送信される、［４０］に記載の方法。
［４２］前記メッセージが、割振り識別子、終了フレーム番号、ダウンリンク間隔使用符号（ＤＩＵＣ）またはアップリンク間隔使用符号（ＵＩＵＣ）、および確認応答（ＡＣＫ）領域情報のうちの少なくとも１つを備える、［３７］に記載の方法。
［４３］前記開始ＯＦＤＭＡフレームが前記第１のＯＦＤＭＡフレームであり、前記第１の信号が前記開始ＯＦＤＭＡフレームに基づく前記信号である、［３３］に記載の方法。
［４４］前記開始ＯＦＤＭＡフレームに基づく前記信号が、前記第１の信号よりも後で送信される、［３３］に記載の方法。
［４５］ワイヤレス通信のための送信機であって、
開始直交周波数分割多元接続（ＯＦＤＭＡ）フレーム中のデータ領域の位置を特定するためのＭＡＰ情報要素（ＩＥ）を有する、第１のＯＦＤＭＡフレームに基づく第１の信号を送信するように構成され、第２のＯＦＤＭＡフレーム中の前記データ領域の位置を特定するためのＭＡＰ  ＩＥなしの、前記第２のＯＦＤＭＡフレームに基づく第２の信号を送信するように構成された論理であって、前記第２の信号が前記第１の信号および前記開始ＯＦＤＭＡフレームに基づく信号よりも後で送信される論理を備える送信機。
［４６］前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、［４５］に記載の送信機。
［４７］前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、［４５］に記載の送信機。
［４８］前記ＭＡＰ  ＩＥが、
前記第１および前記第２のＯＦＤＭＡフレーム内の前記データ領域の固定位置を確立するための領域情報と、
開始フレーム番号と、
割振り間隔と
を備えるメッセージを含んでいる、［４５］に記載の送信機。
［４９］前記論理が、前記開始ＯＦＤＭＡフレームに基づく前記信号を前記開始フレーム番号に従って送信するように構成され、前記第２のＯＦＤＭＡフレームに基づく前記第２の信号をいくつかのＯＦＤＭＡフレームとして、前記ＭＡＰ  ＩＥの前記メッセージ中の前記割振り間隔に従って前記開始ＯＦＤＭＡフレームに基づく前記信号後に送信するように構成された、［４８］に記載の送信機。
［５０］前記開始ＯＦＤＭＡフレームが前記第１のＯＦＤＭＡフレームであり、前記第１の信号が前記開始ＯＦＤＭＡフレームに基づく前記信号である、［４５］に記載の送信機。
［５１］前記論理が、前記開始ＯＦＤＭＡフレームに基づく前記信号を前記第１の信号よりも後で送信するように構成された、［４５］に記載の送信機。
［５２］ワイヤレス通信のための装置であって、
開始直交周波数分割多元接続（ＯＦＤＭＡ）フレーム中のデータ領域の位置を特定するためのＭＡＰ情報要素（ＩＥ）を有する第１のＯＦＤＭＡフレームに基づく第１の信号を送信するための手段と、
第２のＯＦＤＭＡフレーム中の前記データ領域の位置を特定するためのＭＡＰ  ＩＥなしの、前記第２のＯＦＤＭＡフレームに基づく第２の信号を送信するための手段であって、前記第２の信号が前記第１の信号および前記開始ＯＦＤＭＡフレームに基づく信号よりも後で送信される、送信するための手段と
を備える装置。
［５３］前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、［５２］に記載の装置。
［５４］前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、［５２］に記載の装置。
［５５］前記ＭＡＰ  ＩＥが、
前記第１および前記第２のＯＦＤＭＡフレーム内の前記データ領域の固定位置を確立するための領域情報と、
開始フレーム番号と、
割振り間隔と
を備えるメッセージを含んでいる、［５２］に記載の装置。
［５６］前記開始ＯＦＤＭＡフレームに基づく前記信号を送信するための手段をさらに備え、前記開始ＯＦＤＭＡフレームに基づく前記信号を送信するための前記手段が、前記開始ＯＦＤＭＡフレームに基づく前記信号をいくつかのＯＦＤＭＡフレームとして、前記ＭＡＰ  ＩＥの前記メッセージ中の前記開始フレーム番号に従って前記第１の信号後に送信するように構成された、［５５］に記載の装置。
［５７］前記第２の信号を送信するための前記手段が、前記第２のＯＦＤＭＡフレームに基づく前記第２の信号をいくつかのＯＦＤＭＡフレームとして、前記ＭＡＰ  ＩＥの前記メッセージ中の前記割振り間隔に従って前記開始ＯＦＤＭＡフレームに基づく前記信号後に送信するように構成された、［５５］に記載の装置。
［５８］開始直交周波数分割多元接続（ＯＦＤＭＡ）フレーム中のデータ領域の位置を特定するためのＭＡＰ情報要素（ＩＥ）を有する第１のＯＦＤＭＡフレームを生成するように構成され、第２のＯＦＤＭＡフレーム中の前記データ領域の位置を特定するためのＭＡＰ  ＩＥなしの、前記第２のＯＦＤＭＡフレームを作成するように構成された論理と、
前記第１のＯＦＤＭＡフレームに基づく第１の信号と、前記第２のＯＦＤＭＡフレームに基づく第２の信号と、前記開始ＯＦＤＭＡフレームに基づく信号とを送信するための送信機フロントエンドであって、前記第２の信号が、前記第１の信号および前記開始ＯＦＤＭＡフレームに基づく前記信号よりも後で送信される、送信機フロントエンドと
を備えるモバイルデバイス。
［５９］前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、［５８］に記載のモバイルデバイス。
［６０］前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、［５８］に記載のモバイルデバイス。
［６１］複数の直交周波数分割多元接続（ＯＦＤＭＡ）フレームを送信するためのプログラムであって、プロセッサによって実行されると、
開始ＯＦＤＭＡフレーム中のデータ領域の位置を特定するためのＭＡＰ情報要素（ＩＥ）を有する第１のＯＦＤＭＡフレームに基づく第１の信号を送信することと、
第２のＯＦＤＭＡフレーム中の前記データ領域の位置を特定するためのＭＡＰ  ＩＥなしの、前記第２のＯＦＤＭＡフレームに基づく第２の信号を送信することであって、前記第２の信号が前記第１の信号および前記開始ＯＦＤＭＡフレームに基づく信号よりも後で送信される、送信することと
を備える動作を実行するプログラムを含んでいるコンピュータ可読媒体。
［６２］前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、［６１］に記載のコンピュータ可読媒体。
［６３］前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、［６１］に記載のコンピュータ可読媒体。
［６４］前記ＭＡＰ  ＩＥが、
前記第１および前記第２のＯＦＤＭＡフレーム内の前記データ領域の固定位置を確立するための領域情報と、
開始フレーム番号と、
割振り間隔と
を備えるメッセージを含んでいる、［６１］に記載のコンピュータ可読媒体。
［６５］前記開始ＯＦＤＭＡフレームに基づく前記信号が前記開始フレーム番号に従って送信され、前記第２のＯＦＤＭＡフレームに基づく前記第２の信号がいくつかのＯＦＤＭＡフレームとして、前記ＭＡＰ  ＩＥの前記メッセージ中の前記割振り間隔に従って、前記開始ＯＦＤＭＡフレームに基づく前記信号後に送信される、［６４］に記載のコンピュータ可読媒体。
【図１】
0005646710.tif 000002
【図２】
0005646710.tif 000003
【図３】
0005646710.tif 000004
【図４Ａ】
0005646710.tif 000005
【図４Ｂ】
0005646710.tif 000006
【図５】
0005646710.tif 000007
【図６Ａ】
0005646710.tif 000008
【図６Ｂ】
0005646710.tif 000009
【図６Ｃ】
0005646710.tif 000010
【図７Ａ】
0005646710.tif 000011
【図７Ｂ】
0005646710.tif 000012
【図７Ｃ】
0005646710.tif 000013
【図８】
0005646710.tif 000014
【図９】
0005646710.tif 000015
【図１０Ａ】
0005646710.tif 000016
【図１０Ｂ】
0005646710.tif 000017
【図１１】
0005646710.tif 000018
【図１２Ａ】
0005646710.tif 000019
【図１２Ｂ】
0005646710.tif 000020
【図１２Ｃ】
0005646710.tif 000021
【図１３】
0005646710.tif 000022
【図１４】
0005646710.tif 000023
【図１５】
0005646710.tif 000024
【図１５Ａ】
0005646710.tif 000025
【図１６】
0005646710.tif 000026
【図１６Ａ】
0005646710.tif 000027